(57)【要約】【課題】データ送信に関連した属性を表わす第１及び第２のスケジューリング情報をワイヤレス通信装置で受信することを含む方法を提供する。【解決手段】第１のスケジューリング情報は、データ送信のコンテンツ属性を表わす情報を含み、そしてその後に受信される第２のスケジューリング情報は、データ送信の時間属性を表わす。【選択図】図３
2020054000.tif 000002
【特許請求の範囲】
【請求項１】
１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信し；
前記少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し；及び
前記１つ以上の時間属性に従って前記１つ以上の第１のデータ送信を一度に１つ送信させる；
ことを含む方法。
【請求項２】
前記第２の指定情報の受信の前に前記１つ以上の第１のデータ送信のうちの１つのデータ送信の少なくとも部分的な処理に前記少なくとも１つのコンテンツ属性を使用することを更に含む、請求項１に記載の方法。
【請求項３】
前記１つ以上の第１のデータ送信のうちの少なくとも部分的に処理された１つを記憶し、及び／又は前記１つ以上の第１のデータ送信のうちの１つのデータ送信の少なくとも１つのコンテンツ属性を、少なくとも前記第２の指定情報の受信まで、バッファに記憶することを含む、請求項２に記載の方法。
【請求項４】
前記第２の指定情報の受信終了と前記１つ以上の第１のデータ送信のうちの１つのデータ送信の送信開始との間のタイムインターバルは、前記第１の指定情報に従って前記１つ以上の第１のデータ送信のうちの１つのデータ送信を処理するために通信装置に必要とされる時間より短い、請求項１から３のいずれか１項に記載の方法。
【請求項５】
前記第２の指定情報は、第１の送信タイムインターバルにセルラーシステムのアクセスノードから送信され、
前記１つ以上の第１のデータ送信のうちの１つは、前記１つ以上の第１のデータ送信のうちの１つが第２の送信タイムインターバルにアクセスノードに得られるようにアクセスノードへ送信され、及び
前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い、
請求項１から４のいずれか１項に記載の方法。
【請求項６】
１つ以上の第２のデータ送信に関連した第２の指定情報の使用又は未使用を表わす構成情報を受信し；
前記１つ以上の第２のデータ送信に関連して、前記１つ以上の第２のデータ送信の属性を表わし且つ前記１つ以上の第２のデータ送信のうちの１つのデータ送信の少なくとも１つのコンテンツ属性を示す指定情報を含む第１の指定情報を受信し；
前記１つ以上の第２のデータ送信のうちの１つのデータ送信の少なくとも部分的処理のために少なくとも１つのコンテンツ属性を使用し；及び
前記１つ以上の第２のデータ送信に関連した第２の指定情報の未使用が構成される場合には、前記１つ以上の第２のデータ送信に関連した第１の指定情報の受信に関して所定の時間に前記１つ以上の第２のデータ送信の１つを送信させる；
ことを含む、請求項１から５のいずれか１項に記載の方法。
【請求項７】
前記１つ以上の第１のデータ送信のうちの少なくとも１つに関連した中止情報を検出し；及び
前記１つ以上の第１のデータ送信のうちの少なくとも１つを送信させるのを中止する；ことを更に含む、請求項１から６のいずれか１項に記載の方法。
【請求項８】
前記中止情報は、第２の指定情報に与えられた情報に基づくか、又は第１の指定情報の受信以来の経過時間に基づいて検出される、請求項７に記載の方法。
【請求項９】
前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報を受信し；及び
前記少なくとも１つの新たな又は変更された属性に従って前記１つ以上の第１のデータ送信のうちの少なくとも部分的に処理された１つを少なくとも部分的に再処理し、及び／又は前記少なくとも１つの新たな又は変更された属性に従って前記１つ以上の第１のデータ送信のうちの１つの処理を完了させる；
ことを含む、請求項２から８のいずれか１項に記載の方法。
【請求項１０】
前記第２の指定情報は、前記更に別の指定情報を表わす情報を含む、請求項９に記載の方法。
【請求項１１】
ダウンリンク制御チャンネル上の第２の指定情報を検出するために所定の識別子を使用することを含む、請求項１から１０のいずれか１項に記載の方法。
【請求項１２】
前記ダウンリンク制御チャンネルは、進化型ユニバーサル地上アクセスネットワークに従って物理的ダウンリンク制御チャンネル又は改善型物理的ダウンリンク制御チャンネルである、請求項１１に記載の方法。
【請求項１３】
前記第１の指定情報は、少なくとも前記通信装置に関連付けられる所定の識別子を表わす情報を含む、請求項１１又は１２に記載の方法。
【請求項１４】
前記所定の識別子は無線ネットワーク一時的識別子である、請求項１３に記載の方法。
【請求項１５】
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つに基づく第２の指定情報の検出を含む、請求項１から１４のいずれか１項に記載の方法。
【請求項１６】
前記第１の指定情報は、
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つを表わす情報を含む、請求項１５に記載の方法。
【請求項１７】
前記第１の指定情報の少なくとも一部分は、アップリンク許可メッセージにおいて受信される、請求項１から１６のいずれか１項に記載の方法。
【請求項１８】
前記１つ以上の第１のデータ送信のうちの１つを送信させることは、プライオリティスキームに従って遂行され；及び
前記１つ以上の時間属性の１つは、少なくとも１つの適当な送信タイムインターバルを表わす；
請求項１から１７のいずれか１項に記載の方法。
【請求項１９】
前記１つ以上の時間属性の１つは、所定のタイムウインドウ内又は所定の時間オフセット内に通信装置からデータを送信する機会を表わす、請求項１８に記載の方法。
【請求項２０】
前記１つ以上の時間属性の１つは、アップリンク−ダウンリンク構成、ダウンリンク送信バースト構成、アップリンク送信バースト構成のうちの少なくとも１つを表わす、請求項１８又は１９に記載の方法。
【請求項２１】
前記第２の指定情報は、前記第２の指定情報を受信するときと、前記１つ以上の第１のデータ送信のうちの１つを送信させるときとの間の時間オフセット又は最小時間オフセットを制御するオフセット属性を表わす、請求項１から２０のいずれか１項に記載の方法。
【請求項２２】
前記１つ以上の第１のデータ送信のうちの１つのデータ送信の少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わす、請求項１から２１のいずれか１項に記載の方法。
【請求項２３】
前記第１の指定情報は、
−トランスポートブロック長さ、
−変調及びコード化スキーム、
−復調基準信号、
−チャンネル状態情報のための非周期的トリガー、
−周波数ホッピングフラグ、
−無線キャリア、
−アップリンクデータ送信のための電力制御コマンド、
−音響基準信号のためのトリガー
−繰り返し冗長チェック、
−変調及びコード化されたデータ送信を物理的チャンネルのリソースへマッピングするためのマッピング情報、
−第１の指定情報における１つ以上の情報要素の有効性の時間、
のうちの少なくとも１つを表わす、請求項１から２２のいずれか１項に記載の方法。
【請求項２４】
前記第１の送信タイムインターバルは、進化型ユニバーサル地上無線アクセスネットワークに従い、第１のサブフレームであり、そして前記第２の送信タイムインターバルは、第２のサブフレームである、請求項５から２３のいずれか１項に記載の方法。
【請求項２５】
前記最小スケジューリング遅延は、ハイブリッド自動リピート要求フィードバックと、それに対応するデータ送信との間の最小遅延である、請求項５から２４のいずれか１項に記載の方法。
【請求項２６】
前記ハイブリッド自動リピート要求フィードバックと、それに対応するデータ送信との間の最小遅延は、進化型ユニバーサル地上無線アクセスネットワークに従って４つのサブフレームである、請求項２５に記載の方法。
【請求項２７】
前記ワイヤレス通信システムは、進化型ユニバーサル地上無線アクセスネットワークである、請求項１から２６のいずれか１項に記載の方法。
【請求項２８】
第２の指定情報の送信に関連した属性を表わす送信フォーマットは、通信装置において第２の指定情報を検出するためにダウンリンク制御チャンネルに使用される、請求項１１から２７のいずれか１項に記載の方法。
【請求項２９】
前記送信フォーマットは、進化型ユニバーサル地上無線アクセスネットワークに従うダウンリンク制御情報である、請求項２８に記載の方法。
【請求項３０】
前記通信システムにおける信号送信は、クリアチャンネル評価手順の実行においてルールを受ける、請求項１から２９のいずれか１項に記載の方法。
【請求項３１】
１つ以上の第１のデータ送信に関連したワイヤレス通信システム内で、１つ以上の第１のデータ送信の属性を表わし、且つ１つ以上の第１のデータ送信のうちの少なくとも１つのデータ送信の少なくとも１つのコンテンツ属性を示す指定情報を含む第１の指定情報の送信を生じさせ；及び
前記少なくとも１つのコンテンツ属性を含む第１の指定情報の送信に続いて、前記１つ以上の第１のデータ送信のうちの１つのデータ送信の１つ以上の時間属性を表わす指定情報を含む第２の指定情報の送信を生じさせる；
ことを含む方法。
【請求項３２】
前記１つ以上の時間属性に従って前記１つ以上の第１のデータ送信を一度に１つ受信することを含む、請求項３１に記載の方法。
【請求項３３】
前記第２の指定情報は、第１の送信タイムインターバルにセルラーシステムのアクセスノードから送信され；
前記１つ以上の第１のデータ送信の１つは、第２の送信タイムインターバルにアクセスノードに得られ；及び
前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い；
請求項３１又は３２のいずれか１項に記載の方法。
【請求項３４】
前記１つ以上の第２のデータ送信に関連した第２の指定情報の使用又は未使用を表わす構成情報の送信を生じさせ；
前記１つ以上の第２のデータ送信に関連して、前記１つ以上の第２のデータ送信の属性を表わし且つ前記１つ以上の第２のデータ送信のうちの１つのデータ送信の少なくとも１つのコンテンツ属性を示す指定情報を含む第１の指定情報の送信を生じさせ；
前記１つ以上の第２のデータ送信のうちの１つのデータ送信の少なくとも部分的処理のために少なくとも１つのコンテンツ属性を使用し；及び
前記１つ以上の第２のデータ送信に関連した第２の指定情報の未使用が構成される場合には、前記１つ以上の第２のデータ送信に関連した第１の指定情報の送信に関して所定の時間に前記１つ以上の第２のデータ送信の１つを受信する；
ことを含む、請求項３１から３３のいずれか１項に記載の方法。
【請求項３５】
前記１つ以上の第１のデータ送信のうちの少なくとも１つに関連した中止情報の送信を生じさせることを含む、請求項３１から３４のいずれか１つに記載の方法。
【請求項３６】
前記第２の指定情報は、前記中止情報を含む、請求項３５に記載の方法。
【請求項３７】
前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報の送信を生じさせることを含む、請求項３１から３６のいずれか１項に記載の方法。
【請求項３８】
前記第２の指定情報は、前記更に別の指定情報を表わす情報を含む、請求項３７に記載の方法。
【請求項３９】
ダウンリンク制御チャンネル上の第２の指定情報を指示するために所定の識別子を使用することを含む、請求項３１から３８のいずれか１項に記載の方法。
【請求項４０】
前記ダウンリンク制御チャンネルは、進化型ユニバーサル地上アクセスネットワークに従って物理的ダウンリンク制御チャンネル又は改善型物理的ダウンリンク制御チャンネルである、請求項３９に記載の方法。
【請求項４１】
前記第１の指定情報は、少なくとも通信装置に関連した所定の識別子を表わす情報を含む、請求項３９又は４０に記載の方法。
【請求項４２】
前記所定の識別子は無線ネットワーク一時的識別子である、請求項４１に記載の方法。
【請求項４３】
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つに基づく第２の指定情報の指示を与えることを含む、請求項３１から４１のいずれか１項に記載の方法。
【請求項４４】
前記第１の指定情報は、
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つを表わす情報を含む、請求項４３に記載の方法。
【請求項４５】
前記第１の指定情報の少なくとも一部分は、アップリンク許可メッセージにおいて与えられる、請求項３１から４４のいずれか１項に記載の方法。
【請求項４６】
前記１つ以上の時間属性の１つは、少なくとも１つの適当な送信タイムインターバルを表わす、請求項３１から４５のいずれか１項に記載の方法。
【請求項４７】
前記１つ以上の時間属性の１つは、所定のタイムウインドウ内又は所定の時間オフセット内に通信装置からデータを送信する機会を表わす、請求項４６に記載の方法。
【請求項４８】
前記１つ以上の時間属性の１つは、アップリンク−ダウンリンク構成、ダウンリンク送信バースト構成、アップリンク送信バースト構成のうちの少なくとも１つを表わす、請求項４６又は４７に記載の方法。
【請求項４９】
前記第２の指定情報は、前記第２の指定情報を送信させるときと、前記１つ以上の第１のデータ送信のうちの１つを受信させるときとの間の時間オフセット又は最小時間オフセットを制御するオフセット属性を表わす、請求項３１から４８のいずれか１項に記載の方法。
【請求項５０】
前記１つ以上の第１のデータ送信のうちの１つのデータ送信の少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わす、請求項３１から４９のいずれか１項に記載の方法。
【請求項５１】
前記第１の指定情報は、
−トランスポートブロック長さ、
−変調及びコード化スキーム、
−復調基準信号、
−チャンネル状態情報のための非周期的トリガー、
−周波数ホッピングフラグ、
−無線キャリア、
−アップリンクデータ送信のための電力制御コマンド、
−音響基準信号のためのトリガー
−繰り返し冗長チェック、
−変調及びコード化されたデータ送信を物理的チャンネルのリソースへマッピングするためのマッピング情報、
−第１の指定情報における１つ以上の情報要素の有効性の時間、
のうちの少なくとも１つを表わす、請求項３１から５０のいずれか１項に記載の方法。
【請求項５２】
前記第１の送信タイムインターバルは、進化型ユニバーサル地上無線アクセスネットワークに従う第１のサブフレームであり、そして第２の送信タイムインターバルは、第２のサブフレームである、請求項３３から５１のいずれか１項に記載の方法。
【請求項５３】
前記最小スケジューリング遅延は、ハイブリッド自動リピート要求フィードバックと、それに対応するデータ送信との間の最小遅延である、請求項３３から５２のいずれか１項に記載の方法。
【請求項５４】
ハイブリッド自動リピート要求フィードバックと、それに対応するデータ送信との間の最小遅延は、進化型ユニバーサル地上無線アクセスネットワークに従う４つのサブフレームである、請求項５３に記載の方法。
【請求項５５】
前記ワイヤレス通信システムは、進化型ユニバーサル地上無線アクセスネットワークである、請求項３１から５４のいずれか１項に記載の方法。
【請求項５６】
第２の指定情報の送信に関連した属性を表わす送信フォーマットは、第２の指定情報を指示するためにダウンリンク制御チャンネルに使用される、請求項３９から５５のいずれか１項に記載の方法。
【請求項５７】
前記送信フォーマットは、進化型ユニバーサル地上無線アクセスネットワークに従うダウンリンク制御情報である、請求項５６に記載の方法。
【請求項５８】
前記通信システムにおける信号送信は、クリアチャンネル評価手順の実行においてルールを受ける、請求項３１から５７のいずれか１項に記載の方法。
【請求項５９】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信し；
前記少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し；及び
前記１つ以上の時間属性に従って前記１つ以上の第１のデータ送信を一度に１つ送信させる；
ように構成された、装置。
【請求項６０】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
１つ以上の第１のデータ送信に関連したワイヤレス通信システム内で、１つ以上の第１のデータ送信の属性を表わし且つ１つ以上の第１のデータ送信のうちの少なくとも１つのデータ送信の少なくとも１つのコンテンツ属性を示す指定情報を含んでいる第１の指定情報の送信を生じさせ；及び
前記少なくとも１つのコンテンツ属性を含む第１の指定情報の送信に続いて、前記１つ以上の第１のデータ送信のうちの１つのデータ送信の１つ以上の時間属性を表わす指定情報を含んでいる第２の指定情報の送信を生じさせる；
ように構成された、装置。
【請求項６１】
請求項１から３０のいずれか１項に記載の方法を遂行するための手段を備えた装置。
【請求項６２】
請求項３１から５８のいずれか１項に記載の方法を遂行するための手段を備えた装置。
【請求項６３】
コンピュータにおいて実行されるとき請求項１から３０のいずれか１項又は請求項３１から５８のいずれか１項に記載のステップを遂行するためのソフトウェアコード部分を備えたコンピュータ用のコンピュータプログラム製品。
【請求項６４】
請求項５９又は６１に記載の少なくとも１つの装置、及び請求項６０又は６２に記載の少なくとも１つの装置を備えた移動通信システム。
【発明の詳細な説明】
【技術分野】
【０００１】
本発明は、ワイヤレス通信の分野に関する。より特定すれば、本発明は、アップリンクデータ送信をスケジューリングするための方法、システム及びコンピュータプログラムに関する。
【背景技術】
【０００２】
通信システムは、通信経路に含まれる種々のエンティティ間にキャリアを与えることにより、ユーザターミナル、ベースステーション及び／又は他のノードのような２つ以上のエンティティ間で通信セッションを実行できるファシリティと考えられる。通信システムは、例えば、通信ネットワーク及び１つ以上の互換性装置によって構成される。通信セッションは、例えば、ボイス、電子メール（ｅメール）、テキストメッセージ、マルチメディア及び／又はコンテンツデータ、等の通信を搬送するデータの通信を含む。提供されるサービスの非限定例は、二方向又は多方向コール、データ通信又はマルチメディアサービス、及びインターネットのようなデータネットワークシステムへのアクセスを含む。
【０００３】
ワイヤレス通信システムでは、少なくとも２つのステーション間の通信セッションの少なくとも一部分がワイヤレスリンクを経て行われる。ワイヤレスシステムは、例えば、公衆地上移動ネットワーク（ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムは、典型的に、セルに分割され、それ故、セルラーシステムとしばしば称される。
【０００４】
ユーザは、適当な通信装置又はターミナルにより通信システムにアクセスすることができる。ユーザの通信装置は、しばしば、ユーザ装置（ＵＥ）と称される。通信装置には、通信を可能にし、例えば、通信ネットワークへのアクセス又は他のユーザとの直接的な通信を可能にするために適当な信号受信及び送信装置が設けられる。通信装置は、ステーション、例えば、セルのベースステーションにより与えられるキャリアにアクセスし、そしてそのキャリアにおいて通信を送信及び／又は受信する。
【０００５】
通信システム及びそれに関連した装置は、典型的に、システムに関連した種々のエンティティに何をどのように遂行することが許されるか規定した所与の規格又は仕様書に従って動作する。接続に使用すべき通信プロトコル及び／又はパラメータも典型的に規定される。容量の増加需要に関連した問題を解消するための試みは、例えば、ユニバーサルモバイルテレコミュニケーションズシステム（ＵＭＴＳ）無線アクセステクノロジーの長期進化（ＬＴＥ）として知られたアーキテクチャーである。ＬＴＥは、第３世代パートナーシッププロジェクト（３ＧＰＰ）により規格化されている。３ＧＰＰ  ＬＴＥ仕様書の種々の開発段階は、リリースと称される。３ＧＰＰ  ＬＴＥのあるリリース（例えば、ＬＴＥＲｅｌ−１１、ＬＴＥ  Ｒｅｌ−１２、ＬＴＥ  Ｒｅｌ−１３）は、ＬＴＥアドバンスト（ＬＴＥ−Ａ）をターゲットとしている。ＬＴＥ−Ａは、３ＧＰＰ  ＬＴＥ無線アクセステクノロジーを拡張し最適化することに向けられる。
【０００６】
通信システムは、より広い送信帯域巾をサポートするため無線キャリアをアグリゲートするメカニズムを使用するよう構成される。ＬＴＥでは、このメカニズムは、キャリアアグリゲーション（ＣＡ）と称され、ＬＴＥ  Ｒｅｌ−１２仕様により、１００ＭＨｚまでの送信帯域巾をサポートすることができる。ＣＡのための受信及び／又は送信能力をもつ通信システムは、通信装置が接続確立に必要なシステム情報を取得し／監視するところの多数のサービングセルに対応する多数のコンポーネントキャリア（ＣＣ）において受信及び／又は送信を同時に行うことができる。ＣＡが構成されるとき、通信装置は、ネットワークとの無線リソース制御（ＲＲＣ）接続を１つしか有していない。ＲＲＣ接続確立／再確立又はハンドオーバーにおいて、あるサービングセルは、追跡エリアアイデンティティ情報のような非アクセス層（ＮＡＳ）移動情報を与える。ＲＲＣ接続（再）確立又はハンドオーバーにおいて、あるサービングセルは、セキュリティ入力を与える。このセルは、一次サービングセル（ＰＣｅｌｌ）と称され、そして他のセルは、二次サービングセル（ＳＣｅｌｌ）と称される。通信装置の能力に基づいて、ＳＣｅｌｌは、ＰＣｅｌｌとで、ＣＡのもとで１組のサービングセルを形成するように構成される。ダウンリンクでは、ＰＣｅｌｌに対応するキャリアは、ダウンリンク一次コンポーネントキャリア（ＤＬ  ＰＣＣ）であり、一方、アップリンクでは、それは、アップリンク一次コンポーネントキャリア（ＵＬ  ＰＣＣ）である。ＳＣｅｌｌは、ＤＬ無線キャリア周波数及び物理的セルアイデンティティ（ＰＣＩ）情報のような必要な情報を通信装置に与えるため使用前にＲＲＣシグナリングを使用してネットワークによって構成される必要がある。そのような必要な情報が通信装置に与えられたＳＣｅｌｌは、この通信装置のための構成セルと称される。セルの構成後に通信装置において得られる情報は、特に、セルの測定を実行するのに充分である。構成ＳＣｅｌｌは、エネルギー節約のためにセル構成後にデアクチベート状態にされる。ＳＣｅｌｌがデアクチベートされたとき、通信装置は、特に、ＳＣｅｌｌにおいて物理的専用制御チャンネル（ＰＤＣＣＨ）又は物理的ダウンリンク共有チャンネル（ＰＤＳＣＨ）を監視／受信しない。換言すれば、通信装置は、セル構成後にＳＣｅｌｌにおいて通信することができず、そしてＳＣｅｌｌは、通信装置からのデータ送信がＳＣｅｌｌにおいて開始される前にアクチベートされる必要がある。ＬＴＥは、通信装置へのメディアアクセス制御（ＭＡＣ）制御要素を経てＳＣｅｌｌをアクチベート及びデアクチベートするメカニズムをなす。
【０００７】
通信システムは、２つ以上のアクセスノードとの同時通信をサポートするよう構成される。ＬＴＥにおいて、このメカニズムは、二重接続（ＤＣ）と称される。より詳細には、通信装置は、ＬＴＥにおいてマスターｅＮＢ（ＭｅＮＢ）及び二次ｅＮＢ（ＳｅＮＢ）と通信するように構成される。ＭｅＮＢは、典型的に、マクロセルへのアクセスを与え、一方、ＳｅＮＢは、異なる無線キャリアにおいてピコセルのような比較的小さなセルへのアクセスを与える。ＭｅＮＢだけが、ＤＣモードにある通信装置に対してＳ１−ＭＭＥインターフェイスを経て移動管理エンティティ（ＭＭＥ）との接続を維持し、即ちＭｅＮＢだけが、ＤＣモードにある通信装置に関連した移動管理手順に含まれる。ＬＴＥは、ＤＣモードにある通信装置に対して２つの異なるユーザプレーンアーキテクチャーをサポートする。第１のアーキテクチャー（分割ベアラ）では、ＭｅＮＢだけがＳ１−Ｕインターフェイスを経てサービングゲートウェイ（Ｓ−ＧＷ）に接続され、そしてユーザプレーンデータがＭｅＮＢからＸ２インターフェイスを経てＳｅＮＢへ転送される。第２のアーキテクチャーでは、ＳｅＮＢがＳ−ＧＷに直結され、そしてＭｅＮＢは、ＳｅＮＢへのユーザプレーンデータの搬送に含まれない。ＬＴＥにおけるＤＣは、ＬＴＥにおけるＣＡに対して導入される無線インターフェイス概念に関して再使用される。マスターセルグループ（ＭＣＧ）と称される第１のセルグループは、ＭｅＮＢにより通信装置に対して設けられ、そして１つのＰＣｅｌｌ及び１つ以上のＳＣｅｌｌを含み、又、二次セルグループ（ＳＣＧ）と称される第２のセルグループは、ＳｅＮＢにより設けられ、そして例えば、通信装置からのアップリンク制御シグナリングに関して、ＭＣＧにおけるＰＣｅｌｌと同様の機能を伴う一次ＳＣｅｌｌ（ＰＳＣｅｌｌ）を含む。この第２のセルグループは、更に、１つ以上のＳＣｅｌｌを含む。
【０００８】
５Ｇのような将来のネットワークは、１つ以上のアクセスノードと通信装置の間の通信における異なる無線テクノロジーのデータ送信を次第に統合する。従って、通信装置は、２つ以上の無線アクセステクノロジーにおいて同時に動作することができ、そしてキャリアアグリゲーション及び二重接続性は、１つの無線アクセステクノロジーの無線キャリアの使用に限定されない。むしろ、異なる無線アクセステクノロジーによる無線キャリアのアグリゲーション及びそのようにアグリゲートされたキャリアにおける同時通信がサポートされる。
【０００９】
通信装置及びデータアプリケーションの高まる人気によるシステム容量の増加需要に合致させるため、将来の無線アクセスネットワークではピコセルのような小型セルが次第に配備される。無線アクセステクノロジーの統合及び／又は非常に多数の小型セルにより、接続確立の適当な候補である将来のネットワークでは通信装置が益々多くのセルを検出することになる。将来の無線アクセスネットワークにおいてこれらセルを最良に使用するためにキャリアアグリゲーション及び二重接続性メカニズムの改善が必要となる。そのような改善は、通信装置における非常に多数の無線キャリアのアグリゲーションを許し、例えば、ＬＴＥ  Ｒｅｌ−１３には、現在、３２までが特定されており、特に、無認可のスペクトルにおいて無線キャリアの統合が作用される。
【００１０】
通信装置への／からの通信のための無線キャリアのアグリゲーション、及び２つ以上のアクセスノードとの同時通信は、無認可（認可免除）のスペクトルにおいてセルを動作するのに特に使用される。ワイヤレス通信システムは、特定のスペクトル帯域において動作するように認可される。例えば、ＬＴＥのようなテクノロジーは、認可された帯域に加えて、無認可帯域でも動作できる。無認可スペクトルでのＬＴＥ動作は、ＬＴＥキャリアアグリゲーション（ＣＡ）の枠組みに基づくもので、１つ以上の低電力の二次セル（ＳＣｅｌｌ）は、無認可スペクトルで動作すると共に、ダウンリンクのみ、又はアップリンク（ＵＬ）及びダウンリンク（ＤＬ）の両方を含み、そして一次セル（ＰＣｅｌｌ）は、認可スペクトルで動作すると共に、ＬＴＥ周波数分割デュープレックス（ＦＤＤ）又はＬＴＥ時分割デュープレックス（ＴＤＤ）のいずれかである。
【００１１】
無認可スペクトルにおいて動作するための２つの提案は、ＬＴＥ認可支援型アクセス（ＬＡＡ）及びＬＴＥ無認可スペクトル（ＬＴＥ−Ｕ）である。Ｒｅｌ．１３の一部分として３ＧＰＰに特定されたＬＴＥ−ＬＡＡ、及びＬＴＥ−Ｕフォーラムにより定義されたＬＴＥ−Ｕは、無認可帯域を使用する間に認可帯域への接続が維持されることを意味する。更に、認可及び無認可帯域は、例えば、キャリアアグリゲーション又は二重接続性を使用して一緒に動作されてもよい。例えば、認可帯域の一次セル（ＰＣｅｌｌ）と無認可帯域の１つ以上の二次セル（ＳＣｅｌｌ）との間のキャリアアグリゲーションが適用され、そして認可スペクトルのＰＣｅｌｌにおいてＳＣｅｌｌのアップリンク制御情報が通信される。
【００１２】
別の提案では、無認可キャリアを使用するスタンドアローン動作だけが使用される。スタンドアローン動作では、無認可スペクトルにおいてセルにアクセスする機能及びそれらのセルにおけるデータ送信の少なくとも幾つかが、認可ベーススペクトルからの最小限の支援又はシグナリングサポートだけで、或いはそれを伴わずに、遂行される。無認可帯域に対する二重接続性動作は、認可ベーススペクトルからの最小限の支援又はシグナリングを伴うシナリオの一例と考えられる。
【００１３】
無認可帯域テクノロジーは、ＬＴＥと、Ｗｉ−Ｆｉのような他のテクノロジーとの間、並びにＬＴＥ運営者間に公平な共存性を与えるために、あるルール、例えば、リッスン・ビフォア・トーク(Listen-Before-Talk)（ＬＢＴ）のようなクリアチャンネル評価手順を遵守する必要がある。ある管轄区では、各ルールが条例で特定されている。
【００１４】
ＬＴＥ−ＬＡＡでは、送信が許される前に、ユーザ又はアクセスポイント（ｅＮｏｄｅＢのような）は、ルール又は条例の要件に基づいて、リッスン・ビフォア・トーク（ＬＢＴ）のようなクリアチャンネル評価（ＣＣＡ）手順を遂行する必要がある。ユーザ又はアクセスノードは、例えば、スペクトルが他の何らかの送信によりまだ占有されていないことを保証するために、所与の無線周波数、即ちキャリアを、短期間、監視する。ＬＢＴのようなＣＣＡ手順の要件は、地域に基づいて変化し、例えば、ＵＳでは、その要件は存在せず、一方、例えば、ヨーロッパ及び日本では、無認可帯域で動作するネットワーク要素は、ＬＢＴ要件に適合する必要がある。更に、ＬＢＴのようなＣＣＡ手順は、例えば、同じスペクトル及び／又はキャリアで動作するＷｉ−Ｆｉとの公平な共存性を可能にするように、他の無認可帯域使用との共存性を保証するためにも必要である。ＣＣＡ手順が成功であった後に、ユーザ又はアクセスポイントは、送信機会内に送信をスタートさせることが許される。送信機会の最大期間は、事前に構成されるか又はシステムにおいてシグナリングされ、そして４ないし１３ミリ秒の範囲にわたって延びる。アクセスノードは、あるタイムウインドウ内にアクセスノードからのダウンリンク（ＤＬ）送信及びアクセスノードへのアップリンク（ＵＬ）送信をスケジュールすることが許される。アップリンク送信は、ＤＬ送信とその後のＵＬ送信との間の時間が所定値以下である場合には、ＬＢＴのようなＣＣＡ手順を受けない。更に、ＥＴＳＩによりヨーロッパについて定義されたショートコントロールシグナリング（ＳＣＳ）ルールのようなあるシグナリングルールは、特定期間、例えば、５０ｍｓ以内に、関連シグナリングのデューティサイクルが、あるスレッシュホールド、例えば、５％を越えない場合には、ＬＢＴ動作をせずに制御又は管理情報を送信することを許す。前記ＳＣＳルールは、例えば、他の信号の存在についてチャンネルを感知せずに管理及び制御フレームの各ＳＣＳ送信に対して適応モードで動作すると称される従順な通信装置により使用することができる。「適応モード」という語は、ＥＴＳＩにおいて、ある帯域に存在する他の送信を識別し、そして無認可帯域における通信システムの効率的動作のために一般的要件を扱うことにより装置をその環境に適応できるようにするメカニズムとして定義される。更に、アクセスノードからのＤＬ送信とその後のＵＬ送信との間の時間が所定値以下であり、且つアクセスノードがＬＢＴのようなクリアチャンネル評価手順をＤＬ送信の前に遂行した場合には、スケジュールされた送信がＬＢＴなしに許される。ＤＬ送信及びその後のＵＬ送信の両方を網羅する合計送信時間は、最大バースト又はチャンネル占有時間に限定される。最大バースト又は占有時間は、例えば、調整者により特定される。
【００１５】
無認可帯域でのデータ送信、及び／又はクリアチャンネル評価手順を受けることは、通信システムの所定スケジュールに従って実行することができない。むしろ、通信装置及びアクセスノードは、アップリンク送信及び／又はダウンリンク送信のための適当なタイムウインドウを決定することが必要である。各タイムウインドウは、１つ以上の送信タイムインターバル（ＴＴＩ）、例えば、ＬＴＥではサブフレームを含み、以下、アップリンク送信機会又はダウンリンク送信機会と称される。ＴＴＩは、通信システムにおいて専用データユニットのデータ送信を遂行するためのスケジューリングアルゴリズムに予約された時間周期である。アップリンク送信機会及び／又はダウンリンク送信機会の決定は、通信システムに関連したパラメータ、例えば、構成されたパターン支配、システムにおけるアップリンク及びダウンリンク送信のシーケンスに基づく。この決定は、更に、アップリンク送信及び／又はダウンリンク送信の最小及び／又は最大許容長さを特定するルール又は条例に基づく。アップリンク及びダウンリンク機会の決定は、特に、クリアチャンネル評価手順の結果に基づき、そして通信装置又はアクセスノードは、周波数帯域がクリアであり、即ち他の通信装置又はアクセスノードからのデータ送信によって占有されていないと評価した後にのみ、周波数帯域におけるデータ送信をスタートする。更に別のルール又は条例は、アクセスノードと１つ以上の通信装置との間の通信におけるデータ送信を支配する。これらのルールは、例えば、セルのアクセスノードから第１の方向、例えば、セルラーシステムのＤＬにおける少なくとも１つの送信、及びセルの１つ以上の通信装置から逆方向、例えば、ＵＬにおける少なくとも１つのその後の送信をカバーする通信においてタイムウインドウの最大長さを特定する。１つ以上のＤＬ及びＵＬ送信を含むそのようなタイムウインドウは、以下、通信機会と称される。ＤＬ送信は、ＤＬ制御チャンネルを経て送信されるスケジューリング情報を含む。スケジューリング情報は、特に、現在の１つ以上の将来通信機会内で１つ以上のＵＬデータ送信及び／又は１つ以上のＤＬデータ送信をスケジューリングするのに使用できる。
【００１６】
データ送信のためのスケジューリング情報は、コンテンツ属性、フォーマット属性及びマッピング属性をデータ送信に指定することを表わす。マッピング属性は、物理的レイヤ上の送信に割り当てられる１つ以上のチャンネル要素に関連する。チャンネル要素の特異性は、無線アクセステクノロジーに依存し、そして使用するチャンネルタイプに依存してもよい。チャンネル要素は、リソース要素のグループに関連し、一方、各リソース要素は、周波数属性、例えば、直交周波数分割マルチプレクシング（ＯＦＤＭ）を使用するシステムにおけるサブキャリアインデックス（及び各周波数レンジ）と、時間属性、例えば、ＯＦＤＭ又は単一キャリアＦＤＭＡ記号の送信時間と、に関連している。チャンネル要素は、更に、コード属性、例えば、カバーコード又は拡散コードに関連し、これは、リソース要素の同じセットにおける並列データ送信を許す。ＬＴＥのチャンネル要素のここに示す例は、物理的ダウンリンク制御チャンネル（ＰＤＣＣＨ）又は改善型物理的ダウンリンク制御チャンネル（ＥＰＤＣＣＨ）上の制御チャンネル要素；物理的アップリンク制御チャンネル（ＰＵＣＣＨ）上のＰＵＣＣＨリソース；及び物理的ダウンリンク共有チャンネル（ＰＤＳＣＨ）及び物理的アップリンク共有チャンネル（ＰＵＳＣＨ）上の物理的リソースブロック；である。各データ送信は、割り当てられたチャンネル要素のコード属性；及び割り当てられたチャンネル要素におけるリソース要素の周波数及び時間属性；に関連していることを理解されたい。フォーマット属性は、割り当てられたチャンネル要素へのマッピングの前の送信における情報ビットのセットの処理に関連している。フォーマット属性は、特に、送信に使用される変調及びコード化スキームと、送信における搬送ブロックの長さと、を含む。コンテンツ属性は、送信により搬送されるユーザ／ペイロード情報に関連している。換言すれば、コンテンツ属性は、アプリケーションにおいて受信端で検出されるデータシーケンスの配列に最終的に影響する情報である。コンテンツ属性は、送信の送信者及び／又は受信者を含む。コンテンツ属性は、更に、送信において処理される情報ビット、例えば、通信におけるある種のシーケンス番号に関連している。コンテンツ属性は、特に、送信が再送信であるか又は情報ビットの新規セットに関連しているか指示する。ハイブリッド自動リピート要求（ＨＡＲＱ）スキームのケースでは、コンテンツ属性は、特に、ＨＡＲＱ処理番号の指示、即ちＨＡＲＱ特有のシーケンス番号、送信に使用される冗長性バージョン（ＲＶ）、及び新規データ指示子（ＮＤＩ）を含む。
【００１７】
データ送信のスケジューリング情報は、データ送信に必要な属性の完全セットに対する指定情報を含まなくてもよい。属性の少なくとも一部分は、例えば、半持続性スケジューリングを通して事前構成され、そして２つ以上のデータ送信に使用することができる。幾つかの属性は、暗示的にシグナリングされてもよいし、又は例えば、タイミング情報から導出されてもよい。しかしながら、セルラーモバイルネットワークのような更に複雑なシステムにおける動的なスケジューリングは、ＤＬ制御チャンネルを経てスケジューリング情報を送信することを要求する。キャリアアグリゲーションを使用するシステムでは、あるデータ送信に関連したＤＬスケジューリング情報が、データ送信以外のコンポーネントキャリアにおいて送信されてもよい。異なるコンポーネントキャリアにおけるデータ及びスケジューリング情報の送信は、クロスキャリアスケジューリングと称される。
【００１８】
無認可スペクトルで動作されるセルでは、通信装置は、セルにおけるＤＬデータバーストの検出後にスケジューリング情報を運ぶＤＬ制御チャンネルに関連したチャンネル要素の監視をスタートする。ＤＬデータバーストの検出は、セルにおけるある信号の検出、例えば、通信装置が盲目的に検出するセル基準信号のような基準信号に基づくか、又はＤＬデータバーストの存在を表わす明確なシグナリングに基づく。ＤＬ制御チャンネルに関連したチャンネル要素の監視は、通信装置を行先とするスケジューリング情報の盲目的検出を含む。制御チャンネルは、ＬＴＥ又は同様のチャンネルにおいて特定される物理的ダウンリンク制御チャンネル（ＰＤＣＣＨ）又は改善型物理的ダウンリンク制御チャンネル（ＥＰＤＣＣＨ）である。通信装置は、更に、検出されたスケジューリング情報に基づき、物理的ダウンリンク共有チャンネル（ＰＤＳＣＨ）又は同様のチャンネルのようなデータチャンネル上のＤＬデータ送信を検出する。
【００１９】
通信システムは、送信エラーを取り扱うための自動リピート要求（ＡＲＱ）のような再送信メカニズムを使用する。そのようなシステムの受信器は、繰り返し冗長チェック（ＣＲＣ）のようなエラー検出コードを使用して、データパケットの受信にエラーがあったかどうか検証する。受信器は、データパケットが正しく受信された場合は確認（ＡＣＫ）を又はエラーが検出された場合には非確認（ＮＡＣＫ）を送信することにより、フィードバックチャンネルを経て送信器に検証の結果を通知する。送信器は、その後、ＡＣＫの場合には、他の情報ビットに関連した新たなデータパケットを送信し、又はＮＡＣＫの場合には、受信エラーのデータパケットを再送信する。再送信メカニズムは、順方向エラー修正コード化（ＦＥＣ）と結合され、ここでは、送信の前にデータパケットに冗長性情報が含まれる。この冗長性情報は、送信エラーの少なくとも幾つかを修正するために受信器に使用され、そしてデータパケットの再送信は、修正不能なエラーの場合にのみ要求される。ＦＥＣ及びＡＲＱのそのような結合は、ハイブリッド自動リピート要求（ＨＡＲＱ）と称される。ＨＡＲＱスキームにおいて、受信器は、修正不能なエラーをもつデータパケットを単純に破棄せず、得られた情報を、同じ情報ビットに関連した１つ以上の再送信からの情報と結合してもよい。これらの再送信は、第１送信の同一コピーを含んでもよい。インクリメンタル冗長性（ＩＲ）ＨＡＲＱのような更に進歩したスキームでは、第１送信と、その関連再送信が同一ではない。むしろ、同じ情報ビットに関連した種々の送信は、異なる冗長性バージョン（ＲＶ）を含んでもよく、各再送信は、付加的な冗長性情報を、データ検出のために受信器で利用できるようにする。同じ情報ビットに関連した送信回数は、通信システムでは、不成功送信の最大数により限定され、そして新たな情報ビットに関連したデータパケットは、不成功送信の最大数に到達すると、送信される。スケジューリング許可(grant)は、スケジュールされた送信が新たな情報ビットに関連したデータパケットを行先とするかどうか通信装置に通知する新規なデータ指示子（ＮＤＩ）を含む。更に又はそれとは別に、スケジューリング許可は、送信に使用される又は使用されるべき冗長性バージョン（ＲＶ）の指示を含む。トランスポートブロックとしばしば称される各データパケットは、ＬＴＥのサブフレームのような送信タイムインターバル（ＴＴＩ）内で通信システムにおいて送信される。空間的マルチプレクシングが使用されるときには、少なくとも２つのトランスポートブロックがＴＴＩ内で並列に送信される。トランスポートブロックの処理、その送信、そしてそれに対応するＨＡＲＱ−ＡＣＫフィードバックの処理及び送信は、多数のＴＴＩを要する。例えば、ＬＴＥ−ＦＤＤでは、そのような完全なＨＡＲＱループが８つのサブフレームを要する。従って、ＬＴＥ−ＦＤＤのデータストリームでは、アクセスノードと通信装置との間の連続的送信に８つのＨＡＲＱプロセスが必要となる。ＨＡＲＱプロセスは、アクセスノード及び通信装置において並列に取り扱われ、そして各ＨＡＲＱプロセスは、データストリームにおける情報ビットのセットに関連したトランスポート��ロック及びＡＣＫ／ＮＡＣＫフィードバックの送信を制御する。
【００２０】
以下の説明は、ＵＬ  ＨＡＲＱに関連している。より詳細には、ＴＤＤシステムにおけるＵＬデータ送信のスケジューリングスキームに関連している。
【００２１】
従来のＬＴＥ−ＴＤＤシステムでは、通信装置は、トランスポートブロックが物理的アップリンク共用チャンネル（ＰＵＳＣＨ）においてＵＬに送信されたサブフレーム（ＴＴＩ）に関連して規定のタイミングに従ってＤＬのＨＡＲＱ−ＡＣＫフィードバック送信が行われるのを予想する。より詳細には、通信装置は、サブフレームｎにおけるＵＬデータ送信のためのＨＡＲＱ−ＡＣＫフィードバックが物理的ハイブリッドＡＲＱ指示子チャンネル（ＰＨＩＣＨ）においてサブフレームｎ＋ｋ＿ＰＨＩＣＨに与えられるか、或いは物理的ダウンリンク制御チャンネル（ＰＤＣＣＨ）又は改善型物理的ダウンリンク制御チャンネル（ＥＰＤＣＣＨ）において新たなＵＬ許可を受け取ることにより与えられるのを予想する。ＰＨＩＣＨにおけるＨＡＲＱ−ＡＣＫフィードバック送信は、非適応再送信、即ち同じＵＬリソース要素における送信を生じさせ、一方、ＰＤＣＣＨにおける送信は、適応再送信、即ち新規な／適応されたスケジューリング情報によるＵＬ送信を許す。ＨＡＲＱ−ＡＣＫ遅延ｋ＿ＰＨＩＣＨは、ＬＴＥ−ＴＤＤでは、選択されたＵＬ／ＤＬ構成、及びＰＵＳＣＨにおけるＵＬデータ送信のサブフレーム番号ｎに依存する。テーブル１は、３ＧＰＰ仕様書ＴＳ３６．２１３で特定されたＵＬ／ＤＬ構成、サブフレーム番号ｎ及びそれに対応するＨＡＲＱ−ＡＣＫ遅延ｋ＿ＰＨＩＣＨ間の関連を示す。テーブル２のＵＬ／ＤＬ構成０−６は、ある送信方向から他の方向への切り換えを許す、無線フレームにおけるＵＬ及びＤＬへのサブフレームの割り当て、及び無線フレームにおける特殊なサブフレームＳの位置を特定する。
テーブル１: ＬＴＥ−ＴＤＤのｋ＿ＰＨＩＣＨ
2020054000.tif 000003
テーブル２: ＬＴＥ−ＴＤＤにおけるアップリンク−ダウンリンク構成
2020054000.tif 000004
【００２２】
テーブル１の最小ＨＡＲＱ−ＡＣＫ遅延ｋ＿ＰＨＩＣＨは、４つのサブフレームであり、ＨＡＲＱ処理遅延ｋ＿ＰＲＯＣに対応する。ＨＡＲＱ処理遅延ｋ＿ＰＲＯＣは、通信装置の内部処理時間と、通信装置への及び通信装置からの送信遅延（タイミングの進みも含む）とを含み、そしてアクセスノードにおいて、ＨＡＲＱ−ＡＣＫフィードバックを含むサブフレーム／ＴＴＩの開始から、アクセスノードがその対応ＵＬ送信を受信するサブフレーム／ＴＴＩの開始まで延びる。通信装置が送信をスタートするために次のアップリンクサブフレームＵを待機しなければならない場合には、付加的な遅延ｋ＿ＰＨＩＣＨ＞ｋ＿ＰＲＯＣが生じる。
【００２３】
ＬＴＥ−ＴＤＤにおけるＵＬ／ＤＬ構成は、所定の／予想可能な出来事及び長さを伴う通信機会として解釈することができる。上述したように、無認可スペクトルで動作するセルでは、異なるネットワーク運営者及び／又は無線アクセスネットワークからの不整合アクセスがあるために、そのような所定の／予想可能なアクティビティパターンを保証することができない。それ故、無認可スペクトルではＵＬ  ＨＡＲＱに対して非同期送信スキームを使用することが提案されている。そのようなスキームでは、ＵＬ再送信をＵＬ許可によりスケジュールして、初期送信のサブフレームに関連した所定のオフセットを伴わずに行うことができる。しかしながら、そのような非同期送信スキームでも、検出されたＨＡＲＱ−ＡＣＫフィードバックと、それに対応するＵＬデータ送信との間のＨＡＲＱ処理遅延ｋ＿ＰＲＯＣを考慮しなければならない。これは、スキームの能力を、チャンネルの占有問題に応じて通信におけるＵＬ及びＤＬ送信を適応させることに限定する。
【発明の概要】
【発明が解決しようとする課題】
【００２４】
それ故、ＨＡＲＱ処理要件の考慮のもとで通信におけるＵＬ及びＤＬ送信シーケンスの動的な適応を許すスケジューリング判断のためのシグナリングスキームを提供することが要望される。
【課題を解決するための手段】
【００２５】
第１の観点において、１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信することを含む方法が提供される。この方法は、更に、少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し、及び前記１つ以上の時間属性に従って１つ以上の第１のデータ送信を一度に１つ送信させることを含む。
【００２６】
前記方法は、更に、前記第２の指定情報の受信の前に前記１つ以上の第１のデータ送信のうちの１つのデータ送信の少なくとも部分的な処理に前記少なくとも１つのコンテンツ属性を使用することを含む。
【００２７】
前記方法は、更に、前記１つ以上の第１のデータ送信のうちの少なくとも部分的に処理された１つを記憶し、及び／又は前記１つ以上の第１のデータ送信のうちの１つのデータ送信の少なくとも１つのコンテンツ属性を、少なくとも前記第２の指定情報の受信まで、バッファに記憶することを含む。
【００２８】
前記第２の指定情報の受信終了と前記１つ以上の第１のデータ送信のうちの１つのデータ送信の送信開始との間のタイムインターバルは、前記第１の指定情報に従って前記１つ以上の第１のデータ送信のうちの１つのデータ送信を処理するために通信装置に必要とされる時間より短い。
【００２９】
前記第２の指定情報は、第１の送信タイムインターバルにセルラーシステムのアクセスノードから送信され、前記１つ以上の第１のデータ送信のうちの１つは、前記１つ以上の第１のデータ送信のうちの１つが第２の送信タイムインターバルにアクセスノードに得られるようにアクセスノードへ送信され、前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い。
【００３０】
前記第１の送信タイムインターバルは、進化型ユニバーサル地上無線アクセスネットワークに従う第１のサブフレームであり、そして第２の送信タイムインターバルは、第２のサブフレームである。
【００３１】
前記方法は、更に、１つ以上の第２のデータ送信に関連した第２の指定情報の使用又は未使用を表わす構成情報を受信し、前記１つ以上の第２のデータ送信に関連して、１つ以上の第２のデータ送信の属性を表わし且つ前記１つ以上の第２のデータ送信のうちの１つのデータ送信の少なくとも１つのコンテンツ属性を示す指定情報を含む第１の指定情報を受信し、更に、前記１つ以上の第２のデータ送信のうちの１つのデータ送信の少なくとも部分的処理のために少なくとも１つのコンテンツ属性を使用し、そして更に、前記１つ以上の第２のデータ送信に関連した第２の指定情報の未使用が構成される場合には、前記１つ以上の第２のデータ送信に関連した第１の指定情報の受信に関して所定の時間に前記１つ以上の第２のデータ送信の１つを送信させることを含む。
【００３２】
前記方法は、更に、前記１つ以上の第１のデータ送信のうちの少なくとも１つに関連した中止情報を検出し、及び前記１つ以上の第１のデータ送信のうちの少なくとも１つを送信させるのを中止することを含む。
【００３３】
前記中止情報は、第２の指定情報に与えられた情報に基づくか、又は第１の指定情報の受信以来の経過時間に基づいて検出される。
【００３４】
前記方法は、更に、前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報を受信し、及び前記少なくとも１つの新たな又は変更された属性に従って前記１つ以上の第１のデータ送信のうちの少なくとも部分的に処理された１つを少なくとも部分的に再処理し及び／又は前記少なくとも１つの新たな又は変更された属性に従って前記１つ以上の第１のデータ送信のうちの１つの処理を完了させることを含む。
【００３５】
前記第２の指定情報は、前記更に別の指定情報を表わす情報を含む。
【００３６】
前記方法は、更に、ダウンリンク制御チャンネル上の第２の指定情報を検出するために所定の識別子を使用することを含む。
【００３７】
前記ダウンリンク制御チャンネルは、進化型ユニバーサル地上アクセスネットワークに従って物理的ダウンリンク制御チャンネル又は改善型物理的ダウンリンク制御チャンネルである。
【００３８】
前記第１の指定情報は、少なくとも通信装置に関連付けられる所定の識別子を表わす情報を含む。
【００３９】
前記所定の識別子は、無線ネットワーク一時的識別子である。
【００４０】
前記方法は、更に、
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つに基づく第２の指定情報の検出を含む。
【００４１】
前記第１の指定情報は、
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つを表わす情報を含む。
【００４２】
前記第１の指定情報の少なくとも一部分は、アップリンク許可メッセージにおいて受信される。
【００４３】
前記１つ以上の第１のデータ送信のうちの１つを送信させることは、プライオリティスキームに従って遂行され、そして前記１つ以上の時間属性の１つは、少なくとも１つの適当な送信タイムインターバルを表わす。
【００４４】
前記１つ以上の時間属性の１つは、所定のタイムウインドウ内又は所定の時間オフセット内に通信装置からデータを送信する機会を表わす。
【００４５】
前記１つ以上の時間属性の１つは、アップリンク−ダウンリンク構成、ダウンリンク送信バースト構成、アップリンク送信バースト構成のうちの少なくとも１つを表わす。
【００４６】
前記第２の指定情報は、前記第２の指定情報を受信するときと、前記１つ以上の第１のデータ送信のうちの１つを送信させるときとの間の時間オフセット又は最小時間オフセットを制御するオフセット属性を表わす。
【００４７】
前記１つ以上の第１のデータ送信のうちの１つのデータ送信の少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わす。
【００４８】
前記第１の指定情報は、
−トランスポートブロック長さ、
−変調及びコード化スキーム、
−復調基準信号、
−チャンネル状態情報のための非周期的トリガー、
−周波数ホッピングフラグ、
−無線キャリア、
−アップリンクデータ送信のための電力制御コマンド、
−音響基準信号のためのトリガー
−繰り返し冗長チェック、
−変調及びコード化されたデータ送信を物理的チャンネルのリソースへマッピングするためのマッピング情報、
−第１の指定情報における１つ以上の情報要素の有効性の時間、
のうちの少なくとも１つを表わす。
【００４９】
前記最小スケジューリング遅延は、ハイブリッド自動リピート要求フィードバックと、それに対応するデータ送信との間の最小遅延である。
【００５０】
ハイブリッド自動リピート要求フィードバックと、それに対応するデータ送信との間の最小遅延は、進化型ユニバーサル地上無線アクセスネットワークに従う４つのサブフレームである。
【００５１】
前記ワイヤレス通信システムは、進化型ユニバーサル地上無線アクセスネットワークである。
【００５２】
第２の指定情報の送信に関連した属性を表わす送信フォーマットは、通信装置において第２の指定情報を検出するためにダウンリンク制御チャンネルに使用される。
【００５３】
前記送信フォーマットは、進化型ユニバーサル地上無線アクセスネットワークに従うダウンリンク制御情報である。
【００５４】
前記通信システムにおける信号送信は、クリアチャンネル評価手順の実行においてルールを受ける。
【００５５】
第２の観点において、１つ以上の第１のデータ送信に関連したワイヤレス通信システム内で、１つ以上の第１のデータ送信の属性を表わし且つ１つ以上の第１のデータ送信のうちの少なくとも１つのデータ送信の少なくとも１つのコンテンツ属性を示す指定情報を含んでいる第１の指定情報の送信を生じさせ；及び前記少なくとも１つのコンテンツ属性を含む第１の指定情報の送信に続いて、前記１つ以上の第１のデータ送信のうちの１つのデータ送信の１つ以上の時間属性を表わす指定情報を含んでいる第２の指定情報の送信を生じさせる；ことを含む方法が提供される。
【００５６】
前記方法は、更に、前記１つ以上の時間属性に従って１つ以上の第１のデータ送信を一度に１つ受信することを含む。
【００５７】
前記第２の指定情報は、第１の送信タイムインターバルにセルラーシステムのアクセスノードから送信され、前記１つ以上の第１のデータ送信の１つは、第２の送信タイムインターバルにアクセスノードに得られ、前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い。
【００５８】
前記第１の送信タイムインターバルは、進化型ユニバーサル地上無線アクセスネットワークに従う第１のサブフレームであり、そして第２の送信タイムインターバルは、第２のサブフレームである。
【００５９】
前記方法は、更に、１つ以上の第２のデータ送信に関連した第２の指定情報の使用又は未使用を表わす構成情報の送信を生じさせ、及び前記１つ以上の第２のデータ送信に関連して、１つ以上の第２のデータ送信の属性を表わし且つ前記１つ以上の第２のデータ送信のうちの１つのデータ送信の少なくとも１つのコンテンツ属性を示す指定情報を含む第１の指定情報の送信を生じさせることを含む。前記方法は、更に、前記１つ以上の第２のデータ送信のうちの１つのデータ送信の少なくとも部分的処理のために少なくとも１つのコンテンツ属性を使用し、そして更に、前記１つ以上の第２のデータ送信に関連した第２の指定情報の未使用が構成される場合には、前記１つ以上の第２のデータ送信に関連した第１の指定情報の送信に関して所定の時間に前記１つ以上の第２のデータ送信の１つを受信することを含む。
【００６０】
前記方法は、更に、前記１つ以上の第１のデータ送信のうちの少なくとも１つに関連した中止情報の送信を生じさせる。
【００６１】
前記第２の指定情報は、前記中止情報を含む。
【００６２】
前記方法は、更に、前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報の送信を生じさせることを含む。
【００６３】
前記第２の指定情報は、前記更に別の指定情報を表わす情報を含む。
【００６４】
前記方法は、更に、ダウンリンク制御チャンネル上の第２の指定情報を指示するために所定の識別子を使用することを含む。
【００６５】
前記ダウンリンク制御チャンネルは、進化型ユニバーサル地上アクセスネットワークに従って物理的ダウンリンク制御チャンネル又は改善型物理的ダウンリンク制御チャンネルである。
【００６６】
前記第１の指定情報は、少なくとも通信装置に関連付けられる所定の識別子を表わす情報を含む。
【００６７】
前記所定の識別子は、無線ネットワーク一時的識別子である。
【００６８】
前記方法は、更に、
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つに基づく第２の指定情報の指示を与えることを含む。
【００６９】
前記第１の指定情報は、
−検出基準信号、
−初期信号、
−プリアンブル、
−送信における第２の指定情報の存在又は通信装置への後続送信を表わす情報を含む、通信装置への送信における指示子チャンネル、
のうちの少なくとも１つを表わす情報を含む。
【００７０】
前記第１の指定情報の少なくとも一部分は、アップリンク許可メッセージにおいて与えられる。
【００７１】
前記１つ以上の時間属性の１つは、少なくとも１つの適当な送信タイムインターバルを表わす。
【００７２】
前記１つ以上の時間属性は、所定のタイムウインドウ内又は所定の時間オフセット内に通信装置からデータを送信する機会を表わす。
【００７３】
前記１つ以上の時間属性の１つは、アップリンク−ダウンリンク構成、ダウンリンク送信バースト構成、アップリンク送信バースト構成のうちの少なくとも１つを表わす。
【００７４】
前記第２の指定情報は、前記第２の指定情報の送信を生じさせるときと、前記１つ以上の第１のデータ送信のうちの１つを受信させるときとの間の時間オフセット又は最小時間オフセットを制御するオフセット属性を表わす。
【００７５】
前記１つ以上の第１のデータ送信のうちの１つのデータ送信の少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わす。
【００７６】
前記第１の指定情報は、
−トランスポートブロック長さ、
−変調及びコード化スキーム、
−復調基準信号、
−チャンネル状態情報のための非周期的トリガー、
−周波数ホッピングフラグ、
−無線キャリア、
−アップリンクデータ送信のための電力制御コマンド、
−音響基準信号のためのトリガー
−繰り返し冗長チェック、
−変調及びコード化されたデータ送信を物理的チャンネルのリソースへマッピングするためのマッピング情報、
−第１の指定情報における１つ以上の情報要素の有効性の時間、
のうちの少なくとも１つを表わす。
【００７７】
前記最小スケジューリング遅延は、ハイブリッド自動リピート要求フィードバックと、それに対応するデータ送信との間の最小遅延である。
【００７８】
ハイブリッド自動リピート要求フィードバックと、それに対応するデータ送信との間の最小遅延は、進化型ユニバーサル地上無線アクセスネットワークに従う４つのサブフレームである。
【００７９】
前記ワイヤレス通信システムは、進化型ユニバーサル地上無線アクセスネットワークである。
【００８０】
第２の指定情報の送信に関連した属性を表わす送信フォーマットは、第２の指定情報を指示するためにダウンリンク制御チャンネルに使用される。
【００８１】
前記送信フォーマットは、進化型ユニバーサル地上無線アクセスネットワークに従うダウンリンク制御情報である。
【００８２】
前記通信システムにおける信号送信は、クリアチャンネル評価手順の実行においてルールを受ける。
【００８３】
第３の観点において、少なくとも１つのプロセッサ、及びコンピュータプログラムコードを含む少なくとも１つのメモリを備えた装置であって、少なくとも１つのメモリ及びコンピュータプログラムコードは、少なくとも１つのプロセッサとで、装置が、少なくとも、１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信するように構成された、装置が提供される。少なくとも１つのメモリ及びコンピュータプログラムコードは、更に、少なくとも１つのプロセッサとで、装置が、少なくとも、少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し、及び前記１つ以上の時間属性に従って１つ以上の第１のデータ送信を一度に１つ送信させるよう構成される。
【００８４】
第４の観点において、少なくとも１つのプロセッサ、及びコンピュータプログラムコードを含む少なくとも１つのメモリを備えた装置であって、少なくとも１つのメモリ及びコンピュータプログラムコードは、少なくとも１つのプロセッサとで、装置が、少なくとも、１つ以上の第１のデータ送信に関連したワイヤレス通信システム内で、１つ以上の第１のデータ送信の属性を表わし且つ１つ以上の第１のデータ送信のうちの少なくとも１つのデータ送信の少なくとも１つのコンテンツ属性を示す指定情報を含んでいる第１の指定情報の送信を生じさせ、及び前記少なくとも１つのコンテンツ属性を含む第１の指定情報の送信に続いて、前記１つ以上の第１のデータ送信のうちの１つのデータ送信の１つ以上の時間属性を表わす指定情報を含んでいる第２の指定情報の送信を生じさせるように構成された、装置が提供される。
【００８５】
第５の観点において、前記第１の観点の実施形態による方法を遂行するための手段を備えた装置が提供される。
【００８６】
第６の観点において、前記第２の観点の実施形態による方法を遂行するための手段を備えた装置が提供される。
【００８７】
第７の観点において、非一時的コンピュータ読み取り可能なストレージ媒体で実施されるコンピュータプログラムであって、このコンピュータプログラムは、プロセスを実行するようにプロセスを制御するためのプログラムコードを備え、そのプロセスは、１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信することを含むものである、コンピュータプログラムが提供される。プロセスは、更に、少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し、及び前記１つ以上の時間属性に従って１つ以上の第１のデータ送信を一度に１つ送信させることを含む。
【００８８】
第８の観点において、非一時的コンピュータ読み取り可能なストレージ媒体で実施されるコンピュータプログラムであって、このコンピュータプログラムは、プロセスを実行するようにプロセスを制御するためのプログラムコードを備え、そのプロセスは、１つ以上の第１のデータ送信に関連したワイヤレス通信システム内で、１つ以上の第１のデータ送信の属性を表わし且つ１つ以上の第１のデータ送信のうちの少なくとも１つのデータ送信の少なくとも１つのコンテンツ属性を示す指定情報を含んでいる第１の指定情報の送信を生じさせ、及び前記少なくとも１つのコンテンツ属性を含む第１の指定情報の送信に続いて、前記１つ以上の第１のデータ送信のうちの１つのデータ送信の１つ以上の時間属性を表わす指定情報を含んでいる第２の指定情報の送信を生じさせることを含むものである、コンピュータプログラムが提供される。
【００８９】
第９の観点において、第１の観点の実施形態による方法のステップを遂行するためのソフトウェアコード部分を備えたコンピュータ用のコンピュータプログラム製品が提供される。
【００９０】
第１０の観点において、第２の観点の実施形態による方法のステップを遂行するためのソフトウェアコード部分を備えたコンピュータ用のコンピュータプログラム製品が提供される。
【００９１】
第１１の観点において、第３の観点による少なくとも１つの装置及び第４の観点による少なくとも１つの装置を備えた移動通信システムが提供される。
【００９２】
第１２の観点において、第５の観点による少なくとも１つの装置及び第６の観点による少なくとも１つの装置を備えた移動通信システムが提供される。
【００９３】
以上、多数の異なる実施形態が説明された。上述した実施形態の２つ以上を組み合わせることで更に別の実施形態が提供されることが明らかである。
【００９４】
以下、添付図面を参照して、本発明の実施形態を一例として説明する。
【図面の簡単な説明】
【００９５】
【図１】ベースステーション及び複数の通信装置を備えた規範的通信システムの概略図である。
【図２】規範的移動通信装置の概略図である。
【図３】アップリンクデータ送信を２段階スケジューリングするための移動通信装置の規範的方法を示す。
【図４】アップリンクデータ送信を２段階スケジューリングするためのアクセスノードの規範的方法を示す。
【図５】通信システムにおけるアップリンクデータ送信の従来のスケジューリングを示す概略図である。
【図６】２段階スケジューリングメカニズムを使用する通信システムにおけるアップリンクデータ送信のスケジューリングを示す概略図である。
【図７】規範的制御装置の概略図である。
【発明を実施するための形態】
【００９６】
実施例を詳細に説明する前に、ここに述べる実施例の基礎となるテクノロジーの理解を助けるために図１及び２を参照してワイヤレス通信システム及び移動通信装置の幾つかの一般的な原理を簡単に説明する。
【００９７】
図１に示すようなワイヤレス通信システム１００では、移動通信装置又はユーザ装置（ＵＥ）１０２、１０４、１０５に、少なくとも１つのベースステーション又は同様のワイヤレス送信及び／又は受信ノード又はポイントを経てワイヤレスアクセスが与えられる。ベースステーションは、その動作を可能にしそしてベースステーションとの通信において移動通信装置の管理を可能にするために、典型的に、少なくとも１つの適当なコントローラ装置により制御される。コントローラ装置は、無線アクセスネットワーク（例えば、ワイヤレス通信システム１００）又はコアネットワーク（ＣＮ）（図示せず）に配置されて１つの中央装置として実施されてもよいし、或いはその機能が多数の装置にわたって分散されてもよい。コントローラ装置は、ベースステーションの一部分でもよく、及び／又は無線ネットワークコントローラのような個別のエンティティにより形成されてもよい。図１において、コントローラ装置１０８及び１０９は、各マクロレベルベースステーション１０６及び１０７を制御するよう示されている。ベースステーションのコントローラ装置は、他の制御エンティティと相互接続することができる。コントローラ装置には、典型的に、メモリ容量及び少なくとも１つのデータプロセッサが設けられる。コントローラ装置及び機能は、複数の制御ユニット間に分散される。あるシステムでは、コントローラ装置は、それに加えて又はそれとは別に無線ネットワークコントローラに設けられてもよい。
【００９８】
しかしながら、ＬＴＥシステムは、ＲＮＣのない所謂「フラット」アーキテクチャーを有すると考えられ、むしろ、（ｅ）ＮＢは、システムアーキテクチャー進化ゲートウェイ（ＳＡＥ−ＧＷ）及び移動管理エンティティ（ＭＭＥ）と通信し、これらのエンティティは、複数のそれらノードが複数（１組）の（ｅ）ＮＢにサービスすることを意味するプール化もされる。各ＵＥは、一度に１つのＭＭＥ及び／又はＳ−ＧＷのみによりサービスを受け、そして（ｅ）ＮＢは、現在の関連性を追跡する。ＳＡＥ−ＧＷは、ＬＴＥにおける「高レベル」ユーザプレーンコアネットワーク要素であり、これは、Ｓ−ＧＷ及びＰ−ＧＷ（各々サービングゲートウェイ及びパケットデータネットワークゲートウェイ）より成る。Ｓ−ＧＷ及びＰ−ＧＷの機能は、分離され、同じ位置であることは要求されない。
【００９９】
図１において、ベースステーション１０６及び１０７は、ゲートウェイ１１２を経てワイドな通信ネットワーク１１３に接続されるように示されている。更に別のゲートウェイ機能が別のネットワークに接続するように設けられてもよい。
【０１００】
又、小型ベースステーション１１６、１１８及び１２０も、例えば、個別のゲートウェイ機能により、及び／又はマクロレベルステーションのコントローラを経て、ネットワーク１１３に接続される。ベースステーション１１６、１１８及び１２０は、ピコ又はフェムトレベルベースステーション、等である。この例では、ステーション１１６及び１１８は、ゲートウェイ１１１を経て接続され、一方、ステーション１２０は、コントローラ装置１０８を経て接続される。ある実施形態では、小型ステーションが設けられなくてもよい。小型ベースステーション１１６、１１８及び１２０は、例えば、ＷＬＡＮのような第２のネットワークの一部分で、ＷＬＡＮ  ＡＰでもよい。
【０１０１】
通信装置２００の概略部分断面図である図２を参照して、考えられる移動通信装置を詳細に説明する。そのような通信装置は、しばしば、ユーザ装置（ＵＥ）又はターミナルと称される。適当な移動通信装置は、無線信号を送信及び受信できる装置によって形成される。その非限定例は、モバイルフォン又は「スマートフォン」として知られているもののような移動ステーション（ＭＳ）又は移動装置、ワイヤレスインターフェイスカード又は他のワイヤレスインターフェイスファシリティ（例えば、ＵＳＢドングル）が設けられたコンピュータ、ワイヤレス通信機能が設けられたパーソナルデータアシスタント（ＰＤＡ）又はタブレット、或いはそれらの組み合せ、等を含む。移動通信装置は、例えば、ボイス、電子メール（ｅメール）、テキストメッセージ、マルチメディア、等の通信を運ぶためのデータの通信を与える。従って、ユーザは、自身の通信装置を経て多数のサービスがオファーされ提供される。それらのサービスの非限定例は、二方向又は多方向コール、データ通信又はマルチメディアサービス、或いはインターネットのようなデータ通信システムへの単なるアクセスを含む。又、ユーザには、ブロードキャスト又はマルチキャストデータも与えられる。コンテンツの非限定例は、ダウンロード、テレビ及びラジオ番組、ビデオ、広告、種々の警告及び他の情報を含む。
【０１０２】
移動装置２００は、エア又は無線インターフェイス２０７にわたり適当な受信装置を経て信号を受信すると共に、無線信号を送信する適当な装置を経て信号を送信する。図２において、トランシーバ装置がブロック２０６で概略的に示されている。トランシーバ装置２０６は、例えば、無線部及びそれに関連したアンテナ構成体により形成される。アンテナ構成体は、移動装置の内部に配置されてもよいし外部に配置されてもよい。
【０１０３】
移動装置には、典型的に、少なくとも１つのデータ処理エンティティ２０１、少なくとも１つのメモリ２０２、並びにアクセスシステム及び他の通信装置へのアクセス及びそれらとの通信の制御を含めて、遂行するように設計されたタスクのソフトウェア及びハードウェア支援実行に使用される他の考えられるコンポーネント２０３が設けられる。データ処理、ストレージ及び他の関連制御装置が適当な回路板及び／又はチップセットに設けられる。この特徴は、参照番号２０４により示されている。ユーザは、キーパッド２０５、ボイスコマンド、タッチ感知スクリーン又はパッド、その組み合せ等の適当なユーザインターフェイスにより移動装置の動作を制御する。又、ディスプレイ２０８、スピーカ及びマイクロホンも設けられる。更に、移動通信装置は、他の装置へ、及び／又は例えばハンズフリー装置のような外部アクセサリを接続するために適当なコネクタ（ワイヤード又はワイヤレス）を備えている。
【０１０４】
通信装置１０２、１０４、１０５は、コード分割多重アクセス（ＣＤＭＡ）又はワイドバンドＣＤＭＡ（ＷＣＤＭＡ（登録商標））のような種々のアクセス技術に基づいて通信システムにアクセスする。他の非限定例は、時分割多重アクセス（ＴＤＭＡ）、周波数分割多重アクセス（ＦＤＭＡ）、及び種々のそのスキーム、例えば、インターリーブ型周波数分割多重アクセス（ＩＦＤＭＡ）、単一キャリア周波数分割多重アクセス（ＳＣ−ＦＤＭＡ）、及び直交型周波数分割多重アクセス（ＯＦＤＭＡ）、スペース分割多重アクセス（ＳＤＭＡ）等を含む。多数のトランシーバにより生じる装置内共存（ＩＤＣ）問題を装置が取り扱えるようにするシグナリングメカニズム及び手順には、ＬＴＥネットワークからの支援が与えられる。多数のトランシーバは、異なる無線テクノロジーへの無線アクセスを与えるように構成される。
【０１０５】
ワイヤレス通信システムの一例は、第３世代パートナーシッププロジェクト（３ＧＰＰ）により規格化されたアーキテクチャーである。最新の３ＧＰＰベースの開発は、しばしば、ユニバーサル移動テレコミュニケーションシステム（ＵＭＴＳ）無線アクセス技術の長期進化（ＬＴＥ）と称される。３ＧＰＰ仕様書の種々の開発段階は、リリースと称される。ＬＴＥの最近の開発は、しばしば、ＬＴＥアドバンスト（ＬＴＥ−Ａ）と称される。ＬＴＥは、進化型ユニバーサル地上無線アクセスネットワーク（Ｅ−ＵＴＲＡＮ）として知られた移動アーキテクチャーを使用する。そのようなシステムのベースステーションは、進化型又は改善型ノードＢ（ｅＮＢ）として知られており、そして通信装置に向かってユーザプレーンパケットデータコンバージェンス／無線リンクコントロール／メディアアクセスコントロール／物理的レイヤプロトコル（ＰＤＣＰ／ＲＬＣ／ＭＡＣ／ＰＨＹ）及びコントロールプレーン無線リソースコントロール（ＲＲＣ）プロトコルターミネーションのようなＥ−ＵＴＲＡＮ特徴を与える。無線アクセスシステムの他の例は、ワイヤレスローカルエリアネットワーク（ＷＬＡＮ）及び／又はＷｉＭａｘ（マイクロ波アクセスのためのワールドワイド相互運用性）に基づくシステムのベースステーションにより与えられるものを含む。ベースステーションは、全セルエリア又は同様の無線サービスエリアのためのカバレージを与えることができる。
【０１０６】
上述したように、ＨＡＲＱ処理要件の考慮のもとで通信におけるＵＬ及びＤＬ送信シーケンスの動的な適応を許すスケジューリング判断のためのシグナリングスキームを提供する必要がある。そのようなスキームでは、通信装置は、１つ以上のデータ送信に関連した、例えば、フォーマット属性のような第１の指定情報を受信する。この第１の指定情報は、ＬＴＥでは物理的ダウンリンク制御チャンネル（ＰＤＣＣＨ）又は改善型物理的ダウンリンク制御チャンネル（ＥＰＤＣＣＨ）のような制御チャンネルを経て、以下、準備許可と称される少なくとも１つの制御メッセージにおいて少なくとも一部分与えられる。この準備許可により運ばれる情報は、他の、例えば、よりスタティックな、構成情報及びシステム情報と結合される。準備許可は、特に、データ送信に関連したコンテンツ属性の指示、例えば、データ送信がＨＡＲＱ再送信であるかどうか、を含む。準備許可は、更に、フォーマット属性、及び／又はマッピング属性、及び／又は暫定的な時間属性を含む。通信装置は、第１の指定情報に従い、例えば、第１の指定情報に含まれたフォーマット属性に従って、データ送信の少なくとも部分的な処理にコンテンツ属性を使用する。通信装置は、準備許可に続いて、データ送信に関連した時間属性の指示を含む第２の指定情報を受信する。第２の指定情報のそのような送信は、以下、確認許可と称される。通信装置は、第１及び第２の指定情報に含まれた属性に従ってデータ送信を処理し、そして特に確認許可の時間属性に従ってデータ送信を行う。換言すれば、準備許可は、いつデータが通信装置により送信されるかを制御する最終的時間属性には関連していない。むしろ、送信の時間を制御するための当該情報又は最終的情報だけがその後の確認許可に追加され、そして少なくとも一部分処理され又は準備されたデータ送信は、確認許可に示された送信時間に達するまで通信装置に記憶される。
【０１０７】
スケジューリング判断のそのような２段階シグナリングスキームの有益な効果は、通信における処理時間を、通信機会のタイムウインドウからインアクティブ段階へ、即ち通信においてアップリンク送信もダウンリンク送信も生じない段階へシフトアウトするのを許すという点に見られる。そのようなインアクティブ段階は、無認可スペクトルでの通信では、異なる運営者からの不整合アクセス及びクリアチャンネル評価手順の結果のために不可避である。無認可スペクトルでの通信では、適宜に構成されるオペレーションモード、例えば、ＬＴＥでは改善型ＤＲＸモードにおいて生じ得る。更に、２段階スケジューリングスキームは、スケジューリングアルゴリズムに対する付加的な柔軟性を生じ、例えば、ＬＴＥ−ＴＤＤにおいて９個までのＵＬサブフレームを伴うアップリンク−ダウンリンク構成を一時的にサポートする。２段階スキームは、セルにおいて、１つのＵＬ許可メッセージしか伴わない従来のスキームと結合されてもよい。２段階スキームは、そのようなセルでは、スケジューリング許可を２つのメッセージに分割することによる遅延が僅かな有害な作用しか及ぼさない通信を制御するために使用される。更に、２段階スキームは、最初の許可に基づくデータの処理が装置内で考えられるので、確認許可を受けた後に装置に必要となる処理時間を減少するのに使用される。
【０１０８】
図３は、アップリンクデータ送信を２段階スケジューリングするための移動通信装置の規範的方法を示す。
【０１０９】
ステップ３１０において、通信装置は、ＵＬ許可を検出する。ＵＬ許可は、ＬＴＥにおける物理的ダウンリンク制御チャンネル（ＰＤＣＣＨ）又は改善型物理的ダウンリンク制御チャンネル（ＥＰＤＣＣＨ）のようなダウンリンク制御チャンネルを経て受け取られる。ＵＬ許可メッセージは、送信されるべき情報又はデータを特定する１つ以上のコンテンツ属性を含む。コンテンツ属性は、例えば、関連ＨＡＲＱプロセスの指示及び／又は冗長性バージョン及び／又は新たなデータ指示子を含む。ＵＬ許可メッセージは、ＬＴＥにおけるＤＣＩフォーマット０又は４と同様のダウンリンク制御情報においてアクセスノードから与えられるが、マッピング属性又はリソース割り当て情報を含む必要はない。
【０１１０】
ステップ３２０において、通信装置は、ＵＬ許可メッセージが２段階シグナリングスキームに関連するか、又は従来のシグナリングスキームに関連するか決定する。従来のＵＬ許可メッセージのケースでは、方法は、ステップ３６０へ進み、通信装置は、ＵＬ許可に従ってデータを処理し、そしてステップ３７０において、検出されたＵＬ許可に関連した所定の時間オフセット、例えば、ｎ個のＴＴＩの後に、データを送信する。ＵＬ許可が２段階シグナリングスキームの準備許可であったケースでは、方法は、ステップ３３０へ進む。
【０１１１】
ステップ３３０において、通信装置は、準備許可に対応する確認許可をサーチする。確認許可は、ＬＴＥにおける物理的ダウンリンク制御チャンネル（ＰＤＣＣＨ）又は改善型物理的ダウンリンク制御チャンネル（ＥＰＤＣＣＨ）のようなダウンリンク制御チャンネルを経てアクセスノードから与えられる。確認許可は、１ビット又は２ビットのＵＬ送信電力調整のためのＬＴＥのＤＣＩフォーマット３又は３Ａと同様のダウンリンク制御情報、即ちフォーマット属性及びマッピング属性をもたない短い専用のメッセージにおいて、アクセスノードから与えられる。確認許可により運ばれるメッセージは、関連データ送信をトリガーするための条件を特定する。このトリガー条件は、例えば、確認許可の検出からの時間オフセットを特定することによって適当なＴＴＩを指示する。確認許可は、確認許可が向けられる通信装置又は通信装置のグループを識別する識別子を含む。ダウンリンク制御チャンネル上の確認許可を検出するために特定の無線ネットワーク一時的識別子（ＲＮＴＩ）が明示される。この特定のＲＮＴＩは、通信装置のグループに関連したグループ識別子である。従って、制御チャンネルを経てこのＲＮＴＩに向けられるメッセージの存在は、通信装置又は通信装置のグループに確認許可を通知する。確認許可のメッセージは、更に別のグループ識別子及び／又はトリガー条件を含む。確認許可は、準備許可において与えられる確認された属性を表わす情報を含む。確認許可は、あるケースでは、準備許可の複写である。他のケースでは、確認許可は、１つ以上の変更された属性／新規の属性を含む。通信装置は、ステップ３３０において、準備許可からの少なくともコンテンツ属性を使用してデータ送信の少なくとも部分的処理をスタートする。確認許可が検出されない場合には、方法は、ステップ３５０へ進む。
【０１１２】
ステップ３５０において、通信装置は、ステップ３１０で検出されたＵＬ許可（及びステップ３２０の関連準備許可）が中止されたか又は中止されるべきであるか決定する。準備許可は、各タイマーが時間切れすると、中止される。タイマーは、ステップ３１０又はステップ３２０においてスタートされる。それとは別に、アクセスノードが明確な中止情報を与えてもよい。許可が中止された場合には、この方法から退出となり、許可に関連した準備又は処理されたデータが内部バッファから除去される。許可が中止されない限り、方法はステップ３３０へ復帰する。
【０１１３】
ステップ３２０の準備許可に対応する確認許可がステップ３３０において検出された場合には、方法はステップ３４０へ進む。ステップ３４０において、通信装置は、確認許可において与えられる情報に基づいて送信のためのデータを準備する。通信は、特に、部分的に処理されたデータ送信の処理を完了させる。処理は、確認許可において特定されたトリガー条件に従って完了されてもよい。処理は、準備許可において与えられた制御情報／属性に基づいて完了してもよい。ステップ３４０における処理は、新規の又は付加的なパラメータ、例えば、確認許可において与えられ又は更新されるマッピング属性／パラメータを含んでもよい。方法はステップ３７０へ進み、通信装置は、処理されたデータを送信する。
【０１１４】
その後に検出される異なるＵＬ許可に関連したステップ３３０及び３４０に従う少なくとも部分的に処理されたデータは、その後のステップ３７０における関連データの送信まで通信装置のバッファに記憶される。このバッファのサイズは、ある実施形態では、ステップ３１０における検出されたＵＬ許可と、従来のシグナリングスキームに対するステップ３７０における対応するデータ送信との間のｎ個のＴＴＩのスケジューリング遅延に基づいて決定される。
【０１１５】
ステップ３３０における検出された確認許可と、ステップ３７０における対応するデータ送信との間のｋ個のＴＴＩの時間差は、準備許可において与えられるコンテンツ属性に依存して特定された所定のタイムインターバルより短い。ある実施形態では、ＨＡＲＱスキームにおける新規データ送信の場合より短いタイムインターバルが再送信に対して特定される。一般的に、ｋ個のＴＴＩという必要な処理及び準備時間は、従来のＵＬ許可に比して短い（即ち、ｋ＜ｎ）。というのは、装置は、準備許可に基づくあるデータ処理を予め遂行することができ、そして確認許可に基づく処理を完了すればよいからである。
【０１１６】
ＵＬスケジューリング判断のための２段階シグナリングスキームは、従来のシグナリングスキームと並列にセルラー通信システムのセルに使用される。２段階シグナリングスキームは、ＵＬ送信機会の始めに、従来のシグナリングスキームのデータ送信が利用できるまで、データ送信に使用されるのが好ましい。
【０１１７】
準備許可は、例えば、そこに与えられたスケジューリング属性が古くなったときには、中止される。各中止コマンドは、個々のデータ送信だけには影響せず、その後に検出されるアップリンク許可及びその関連準備許可に関連したデータ送信には影響する。アクセスノードは、確認許可を使用して、通信装置に、中止された準備許可について通知する。ある実施形態では、アクセスノードは、例えば、ＤＬデータ送信について構成されたＴＴＩ又は通信装置とアクセスノードの間の通信機会の外側のＴＴＩのような不適当なＴＴＩに対して各データ送信をスケジューリングすることにより、中止された準備許可について通信装置に通知する。別の実施形態では、中止コマンドは、準備許可の受信から経過した時間に基づき通信装置の内部で発生される。そのような自動中止コメントの発生までの期間の構成は、通信装置の無線リソースコントロール（ＲＲＣ）構成の一部分でもよい。
【０１１８】
準備許可は、例えば、更新された又は新規なスケジューリング属性が利用できるときに変更又は補足される。各更新コマンドは、個々のデータ送信だけには影響せず、その後に検出されるアップリンク許可及びその関連準備許可に関連したデータ送信には影響する。アクセスノードは、確認許可を使用して、通信装置に、変更又は中止された準備許可について通知する。通信装置は、更新コマンドからの情報を使用して、送信のためのデータを再処理し、及び／又は送信のためのデータ処理を完了する。更新コマンドは、特に、変更された又は新規な補足的マッピング情報又はリソース割り当て情報を含む。
【０１１９】
ある実施形態では、セル内の通信装置に確認許可の送信について通知するためにダウンリンク制御チャンネルには特定の無線ネットワーク一時的識別子（ＲＮＴＩ）が使用される。ダウンリンク制御チャンネルにおける通知は、ＬＴＥの確認許可のための新規ＤＣＩフォーマットのような新規又は専用送信フォーマットに基づく。ＬＴＥの物理的制御フォーマット指示子チャンネル（ＰＣＦＩＣＨ）のような送信又はＴＴＩにおける指示子チャンネルは、現在又はその後の送信又はＴＴＩにおける確認許可の存在を表わす情報を含む。確認許可は、セル内の全ての通信装置、通信装置のグループ、又は個々の通信装置のみに向けられる。それとは別に又はそれに加えて、アクセスノードは、特定のダウンリンク信号を使用して、セル内の通信装置又は通信装置のグループに確認許可の送信について通知する。この通知は、各ＴＴＩにおけるプリアンブル又は他の初期信号を通して、或いは改善型発見基準信号（ＤＲＳ）のような基準信号を通して搬送される。それらの信号は、各情報を運ぶ部分を含む。通信装置は、この情報を盲目的に検出するように構成される。通信装置は、検出手順において、対応する準備許可で与えられた情報を使用する。
【０１２０】
２段階スケジューリングスキームにおけるデータ送信は、プライオリティスキームに従って遂行される。そのようなスキームは、特に、準備されたデータの送信に対応するＵＬ許可がステップ３１０において検出されたときを考慮する。プライオリティスキームは、特に、確認許可が明確なシグナリングにより与えられず、暗示的なシグナリングにより与えられる場合に使用される。確認許可の暗示的シグナリングは、特に、通信機会においてアップリンクヘビー(uplink-heavy)のアップリンク−ダウンリンク構成をサポートするのに使用され、ここで、少なくとも１つのＴＴＩ内でのダウンリンク送信は、多数のアップリンクデータ送信に対する確認許可を運ぶ必要がある。
【０１２１】
ある実施形態では、確認許可において与えられる時間属性／パラメータは、絶対的時間値又はインターバルを特定するものではなく、ステップ３７０におけるデータ送信に適したＴＴＩのみに関連している。例えば、確認許可は、そのような実施形態では、現在又はその後のＵＬ送信機会における次に適したＴＴＩにデータ送信を示すために１の時間オフセットを含む。アクセスノードは、そのような実施形態では、現在及び／又はその後の通信機会のようなタイムウインドウのアップリンク−ダウンリンク構成情報を通信装置に与えることにより、適当なＴＴＩを通信装置に通知する。そのような実施形態では、データパケットが所定の順序で送信されることを保証するように、データ送信を選択するためのプライオリティスキームが適用される。
【０１２２】
図４は、アップリンクデータ送信を２段階スケジューリングするためのアクセスノードの規範的方法を示す。
【０１２３】
ステップ４１０において、アクセスノード、例えば、ｅＮＢは、通信装置にＵＬ許可を与える。ＵＬ許可は、ＬＴＥにおける物理的ダウンリンク制御チャンネル（ＰＤＣＣＨ）又は改善型物理的ダウンリンク制御チャンネル（ＥＰＤＣＣＨ）のようなダウンリンク制御チャンネルを経て送信される。ＵＬ許可メッセージは、送信されるべき情報又はデータを特定する１つ以上のコンテンツ属性を含む。コンテンツ属性は、例えば、関連ＨＡＲＱプロセスの指示及び／又は冗長性バージョン及び／又は新規なデータ指示子を含む。ＵＬ許可メッセージは、ＬＴＥにおけるＤＣＩフォーマット０又は４と同様のダウンリンク制御情報においてアクセスノードから与えられるが、マッピング属性又はリソース割り当て情報を含む必要はない。
【０１２４】
ステップ４２０において、アクセスノードは、ＵＬ許可メッセージが２段階シグナリング機構に関連しているか従来のシグナリング機構に関連しているか決定する。従来のＵＬ許可メッセージの場合には、方法はステップ４６０へ進み、アクセスノードは、通信装置がＵＬ許可に従ってデータを処理するのを待機し、そしてステップ４７０において、送信されたＵＬ許可に関連して、所定の時間オフセット、例えば、ｎ個のＴＴＩの後に、送信されたデータを予想する。ＵＬ許可が２段階シグナリングスキームの準備許可である場合には、方法はステップ４３０へ進む。
【０１２５】
ステップ４３０において、アクセスノードは、準備許可に対応する確認許可をスケジューリングする。アクセスノードは、ＬＴＥにおける物理的ダウンリンク制御チャンネル（ＰＤＣＣＨ）又は改善型物理的ダウンリンク制御チャンネル（ＥＰＤＣＣＨ）のようなダウンリンク制御チャンネルを経て確認許可を送信する。確認許可は、１ビット又は２ビットのＵＬ送信電力調整のためのＬＴＥのＤＣＩフォーマット３又は３Ａと同様のダウンリンク制御情報、即ちフォーマット属性及びマッピング属性をもたない短い専用のメッセージにおいて、アクセスノードから与えられる。確認許可により運ばれるメッセージは、関連データ送信をトリガーするための条件を特定する。このトリガー条件は、例えば、通信装置による確認許可の検出からの時間オフセットを特定することによって適当なＴＴＩを指示する。確認許可は、確認許可が向けられる通信装置又は通信装置のグループを識別する識別子を含む。ダウンリンク制御チャンネル上の確認許可を検出するために特定の無線ネットワーク一時的識別子（ＲＮＴＩ）が明示される。この特定のＲＮＴＩは、通信装置のグループに関連したグループ識別子である。従って、制御チャンネルを経てこのＲＮＴＩに向けられるメッセージの存在は、通信装置又は通信装置のグループに確認許可を通知する。確認許可のメッセージは、更に別のグループ識別子及び／又はトリガー条件を含む。ステップ４３０において確認許可が与えられない場合には、方法はステップ４５０へ進む。
【０１２６】
ステップ４５０において、アクセスノードは、ステップ４１０で与えられるＵＬ許可（及びステップ４２０の関連準備許可）が中止されたか又は中止されるべきであるか決定する。準備許可は、各タイマーが時間切れしたときに中止される。タイマーは、ステップ４１０又はステップ４２０においてスタートされる。或いは又、アクセスノードが通信装置に明確な中止情報を与えてもよい。許可が中止された場合には、方法が退出となり、ＵＬ許可に関連した情報が内部バッファから除去される。許可が中止されない限り、方法はステップ４３０へ復帰する。
【０１２７】
ステップ４２０の準備許可に対応する確認許可がステップ４３０において与えられた場合に、方法はステップ４４０へ進む。ステップ４４０において、アクセスノードは、許可された送信に従って通信装置が準備及び送信するのをｋ個のＴＴＩの間待機する。方法はステップ４７０へ進み、アクセスノードは、確認許可に従って通信装置からデータを受け取る。
【０１２８】
図５は、ＬＴＥ−ＦＤＤシステムにおけるＵＬスケジューリングのための従来のシグナリングスキームを示す概略図である。ＨＡＲＱプロセス０に関連したＰＵＳＣＨスケジューリング又はＨＡＲＱ−ＡＣＫフィードバックがＰＤＣＣＨ又はＰＨＩＣＨを経てサブフレームにおいて与えられる。ＬＴＥ−ＦＤＤでは、４つのサブフレームのスケジューリング又はＨＡＲＱ−ＡＣＫ遅延が規定され、これは、スケジューリング情報又はＨＡＲＱ−ＡＣＫフィードバック送信と、通信装置における各（再）送信の必要な処理を許す。通信装置における処理は、次のステップを含む。
・ダウンリンク制御チャンネル(ＰＤＣＣＨ又はＥＰＤＣＣＨ)のためのチャンネル推定  ・ＵＬスケジューリング許可を検出するためのダウンリンク制御チャンネルの盲目的デコーディング
・ＵＬスケジューリング許可からの関連パラメータの抽出
・異なるサービスに関連したキューからのペイロードデータの選択
・送信のためのデータユニットの組み立て
・エラー修正コードのスクランブル化及び転送
・変調マッピング
・物理的チャンネルリソースへのマッピング
【０１２９】
ＨＡＲＱプロセス０に関連した次のトランスポートブロックの送信又は再送信は、図５では、サブフレームｎ＋４におけるスケジューリング又はＨＡＲＱ−ＡＣＫ遅延の満了後に生じる。従って、サブフレームｎ＋１ないしｎ＋４において与えられるスケジューリング又はＨＡＲＱ−ＡＣＫフィードバックに応答するトランスポートブロックの（再）送信は、サブフレームｎ＋５からサブフレームｎ＋８まで延びるタイムウインドウの各サブフレームにおいて生じる。しかしながら、図示された送信シーケンスの開始におけるサブフレームｎ＋１、ｎ＋２及びｎ＋３は、ＵＬデータ送信のための従来のシグナリングスキームには使用できない。
【０１３０】
図６は、ある実施形態による２段階シグナリングスキームを示す概略図である。特に、図６は、アクセスノードと通信装置との間の通信のための規範的通信機会を示す。この通信機会は、サブフレームｎ及びｎ＋５におけるＤＬ送信機会と、サブフレームｎ＋１、ｎ＋２、ｎ＋３、ｎ＋４及びｎ＋６、ｎ＋７、ｎ＋８、ｎ＋９におけるＵＬ送信機会と、を含む。
【０１３１】
サブフレームｎのＤＬ制御情報６１０−１は、ＬＴＥのＰＤＣＣＨ又はＥＰＤＣＣＨのようなダウンリンク制御チャンネルにおける第１の準備許可６２０−１を含む。準備許可６２０−１は、ＵＬデータ送信のための従来のアップリンクスケジューリング許可において典型的に与えられる全てのスケジューリング情報、例えば、送信の変調及びコード化スキーム、送信に使用するための復調器準信号の指示、送信の物理的リソース割り当て又はマッピング情報、並びに各ＨＡＲＱプロセスに関連した情報を含む。しかしながら、準備許可は、従来のアップリンクスケジューリング許可とは対照的に、送信の時間を制御する時間属性を与えなくてもよい。むしろ、送信の時間は、準備許可に続いて、対応する確認許可における明示的又は暗示的シグナリングにより与えられる。別の実施形態では、準備許可は、送信の時間を特定する暫定的な時間属性を与える。しかしながら、これらの時間属性は、対応する確認許可によりその後に確認される必要があり、そして通信装置は、各時間属性の有効性が確認許可において確認された場合には、あるサブフレームにおいてＵＬデータを送信するだけでよい。
【０１３２】
準備許可６２０−１は、準備されたパケット６４０のストリームにおける一連のデータパケット６２５−１の処理を制御する。一連のデータパケットの処理を制御するために、準備許可６２０−１は、６２５−１のどのパケットがどの情報要素により影響／制御されるか指示するために、準備許可により与えられる１つ以上の情報要素に関する有効性の時間の指示を含む。
【０１３３】
確認許可６３０−１は、先の通信機会にアクセスノードから与えられた以前の準備許可６２０−０（図６には示さず）に対応する。通信許可６３０−１は、ＬＴＥのＰＤＣＣＨ又はＥＰＤＣＣＨのようなダウンリンク制御チャンネルを経て明示的シグナリングにより与えられる。準備許可６２０−１及び確認許可６３０−１は、ダウンリンク制御チャンネルを経て個別のメッセージで与えられるか、又は単一のメッセージにおいて与えられる。後者のケースでは、準備許可６２０−１及び確認許可６３０−１は、共通にエンコードされてもよく、それ故、確認許可６３０−１に応答してのサブフレームｎ＋１におけるアップリンクデータ送信は、サブフレームｎにおいて与えられる準備許可６２０−１及び確認許可６３０−１の両方の検出成功を確認する。確認許可６３０−１は、サブフレームｎ＋１からサブフレームｎ＋４まで延びる送信ウインドウ内でダークグレイのデータパケット６６０−０の送信を行わせる。送信パケット６５０のストリームにおけるダークグレイのデータパケット６６０−０は、バッファから読み取られ、そして前記準備許可６２０−０（図６には示さず）に基づいて通信装置により処理／準備されたものである。バッファにおける準備されたデータの入手性は、通信装置が、サブフレームｎ＋１において、サブフレームｎに与えられた確認許可６３０−１に、データパケットの完全な処理時間を待機することなく、応答するのを許す。
【０１３４】
ダウンリンク制御チャンネルにおける確認許可の検出は、例えば、確認許可をある位置属性、例えば、確認許可が位置する領域、並びにダウンリンク制御チャンネルのサーチスペースにおけるそれらのスタート及びサイズにリンクすることにより、加速される。これらの属性は、ダウンリンク制御チャンネルにおける新規な又は専用の送信フォーマット、例えば、ＬＴＥの確認許可のための新規なＤＣＩフォーマットを特定する。
【０１３５】
或いは又、確認許可６３０−１は、暗示的シグナリングにより与えられてもよい。より詳細には、ＵＬサブフレームｎ＋１、ｎ＋２、ｎ＋３及びｎ＋４の入手性を示す受信又は検出情報は、送信ウインドウ６３５−１においてデータパケット６６０−０を送信するための確認許可６３０−１として機能する。
【０１３６】
準備許可６２０−１は、準備ウインドウ６２５−１において４つのライトグレーのデータパケットの処理／準備を生じさせる。これらデータパケットは、サブフレームｎ＋４、ｎ＋５、ｎ＋６及びｎ＋７において送信するために入手することができ、即ちこれらデータパケットの最初のパケットは、前記以前の（図示せず）準備許可６２０−０に関連したデータパケット６６０−０の最後のパケットが送信されるときに予め入手可能である。この送信シーケンスは、以前の準備許可６２０−０に関連したデータパケット６６０−０が最後の準備許可６２０−１に関連したデータパケットよりプライオリティが高いプライオリティスキームを反映する。
【０１３７】
準備許可６２０−１は、準備ウインドウ６２５−１におけるデータパケットの送信の時間を制御するために時間属性を与える。アクセスノードは、ＤＬ制御情報６１０−２における対応する確認許可６３０−２によりサブフレームｎ＋５においてそれらの時間属性を確認する。確認許可６３０−２を検出した後に、通信装置は、サブフレームｎ＋６からｎ＋９まで延びる送信ウインドウ６３５−２において、準備されたデータパケットを送信する。
【０１３８】
アクセスノードは、各ＤＬ送信バーストの前に、ＬＢＴのようなクリアチャンネル評価手順を遂行する。又、通信装置は、それに続くＵＬ送信バーストのために、クリアチャンネル評価手順、例えば、少なくともＬＢＴ手順を遂行する。通信装置は、１回のチェックを遂行すればよいので、通信装置におけるクリアチャンネルアクセス手順も、同様に成功となる。他の装置がチャンネルを占有できる確率が低くなるように、１回のチェックは、ダウンリンク送信が終了した直後に行われる。図６の例では、アクセスノードは、成功裡なクリアチャンネル評価手順を遂行し、そしてサブフレームｎ＋５のＤＬデータ送信のためにチャンネルを再取得する。アクセスノードは、サブフレームｎ＋５において準備許可６２０−１に関連した確認許可６３０−２を送信する。確認許可６３０−２は、少なくともサブフレームｎ＋６を１つ以上の通信装置に割り当てることにより暗示的にシグナリングされる。準備許可６２０−１に関連した確認許可６３０−２を送信した後に、アクセスノードは、送信ウインドウ６３５−２において対応するＵＬデータ送信を待機する。準備許可６２０−１に関連した確認許可６３０−２及び準備ウインドウ６２５−１を受け取ると、図６の通信装置は、送信ウインドウ６３５−２において準備されたデータパケットを送信するためのチャンネルの取得を試みる。
【０１３９】
サブフレームｎ＋５のＤＬ制御情報６１０−２は、確認許可６３０−２に加えて、準備許可６２０−２を含む。準備許可６２０−２に関連したデータパケットの第１は、サブフレームｎ＋９の準備ウインドウにおいて入手できるが、準備許可６２０−２の作用は、通信機会の時間ウインドウを越えて延びて、通信装置のバッファに、その後に続く通信機会のための準備されたデータパケットを補充することである。これは、サブフレームｎ＋１０における３つのダークグレイのデータパケットにより指示される。しかし、この３つのデータパケットは、１つのサブフレームの中だけで処理される必要はない。
【０１４０】
図面のフローチャートの各ブロック及びその組み合せは、ハードウェア、ソフトウェア、ファームウェア、１つ以上のプロセッサ及び／又は回路のような種々の手段又はそれらの組み合せにより実施されてもよいことを理解されたい。
【０１４１】
この方法は、図２を参照して述べた移動装置又は図７に示す制御装置において実施される。図７は、ＲＡＮノードのようなアクセスシステムのステーション、例えば、ベースステーション、(ｅ)ノードＢ又は５Ｇ  ＡＰ、クラウドアーキテクチャーの中央ユニット、或いはＭＭＥ又はＳ−ＧＷのようなコアネットワークのノード、スケジューリングエンティティ、或いはサーバー又はホストに接続され、及び／又はそれらを制御するための通信システムの制御装置の一例を示す。この方法は、単一の制御装置において実施されてもよいし、或いは２つ以上の制御装置にわたって実施されてもよい。制御装置は、コアネットワーク又はＲＡＮのノード又はモジュールと一体化されてもよいし、或いはその外部にあってもよい。ある実施形態では、ベースステーションは、個別の制御装置ユニット又はモジュールを備えている。他の実施形態では、制御装置は、無線ネットワークコントローラ又はスペクトルコントローラのような別のネットワーク要素である。ある実施形態では、各ベースステーションは、そのような制御装置、並びに無線ネットワークコントローラに設けられた制御装置を有してもよい。制御装置３００は、システムのサービスエリアにおいて通信を制御するように構成される。制御装置３００は、少なくとも１つのメモリ３０１、少なくとも１つのデータ処理ユニット３０２、３０３、及び入力／出力インターフェイス３０４を備えている。インターフェイスを経て、制御装置は、ベースステーションの受信器及び送信器に結合される。受信器及び／又は送信器は、無線フロントエンド又はリモート無線ヘッドとして実施される。例えば、制御装置３００は、適当なソフトウェアコードを実行して制御機能を与えるように構成される。制御機能は、スケジューリング判断をシグナリングするために２段階シグナリングスキームを与えることを含む。
【０１４２】
この装置は、送信及び／又は受信に或いはそのために使用される無線部又は無線ヘッドのような他のユニット又はモジュール、等を備え又はそれらに結合されることを理解されたい。装置は、１つのエンティティとして説明されたが、異なるモジュール及びメモリが１つ以上の物理的又は論理的エンティティにおいて実施されてもよい。
【０１４３】
前記実施形態は、ＬＴＥネットワークに関連して上述されたが、他のネットワーク及び通信システム、例えば、５Ｇネットワークに関連して同様の原理が適用されてもよい。それ故、幾つかの実施形態は、ワイヤレスネットワーク、テクノロジー、及び規格に対する幾つかの規範的アーキテクチャーを参照して一例として上述されたが、それらの実施形態は、ここに図示して説明した以外の他の適当な形態の通信システムに適用されてもよい。
【０１４４】
又、規範的実施形態が上述されたが、本発明の範囲から逸脱せずに、ここに開示された解決策に対して多数の変更や修正がなされることにも注意されたい。
【０１４５】
一般的に、種々の実施形態は、ハードウェア又は特殊目的回路、ソフトウェア、ロジック又はその組み合せで実施される。本発明のある観点は、ハードウェアにおいて実施される一方、他の観点は、コントローラ、マイクロプロセッサ、又は他のコンピューティング装置で実行されるファームウェア又はソフトウェアにおいて実施されるが、本発明は、それに限定されない。本発明の種々の観点は、ブロック図、フローチャートとして又は他の絵画的表現を使用して図示され説明されるが、ここに述べたそれらブロック、装置、システム、技術又は方法は、非限定例として、ハードウェア、ソフトウェア、ファームウェア、特殊目的回路又はロジック、汎用ハードウェア又はコントローラ、或いは他のコンピューティング装置又はその組み合せにおいて実施されてもよいことを理解されたい。
【０１４６】
本発明の実施形態は、プロセッサエンティティのような移動装置のデータプロセッサにより実行可能なコンピュータソフトウェアにより、又はハードウェアにより、或いはソフトウェアとハードウェアの組み合せにより、実施されてもよい。又、ソフトウェアルーチン、アプレット及び／又はマクロを含むプログラム製品とも称されるコンピュータソフトウェア又はプログラムが装置読み取り可能なデータストレージ媒体に記憶されてもよく、それらは、特定のタスクを遂行するためにプログラムインストラクションを含む。コンピュータプログラム製品は、プログラムがランされるときに、実施形態を遂行するよう構成された１つ以上のコンピュータ実行可能なコンポーネントを含む。１つ以上のコンピュータ実行可能なコンポーネントは、少なくとも１つのソフトウェアコード又はその一部分である。
【０１４７】
更に、この点について、図面中の論理フローのブロックは、プログラムステップ、又は相互接続された論理回路、ブロック及び機能、或いはそれらプログラムステップ及び論理回路、ブロック及び機能の組み合せを表わすことに注意されたい。ソフトウェアは、メモリチップのような物理的媒体、又はプロセッサ内に実施されるメモリブロック、ハードディスク又はフロッピーディスのような磁気媒体、及び例えば、ＤＶＤ及びそのデータ型であるＣＤのような光学的媒体に記憶される。物理的媒体は、非一時的媒体である。
【０１４８】
メモリは、ローカル技術的環境に適した任意のタイプであり、そして適当なデータストレージ技術、例えば、半導体ベースのメモリデバイス、磁気メモリデバイス及びシステム、光学的メモリデバイス及びシステム、固定メモリ及び除去可能なメモリを使用して実施される。データプロセッサも、ローカル技術的環境に適した任意のタイプであり、そして非限定例として、汎用コンピュータ、特殊目的コンピュータ、マイクロプロセッサ、デジタル信号プロセッサ（ＤＳＰ）、特定用途向け集積回路（ＡＳＩＣ）、ＦＰＧＡ、ゲートレベル回路、及びマルチコアプロセッサアーキテクチャーに基づくプロセッサの１つ以上を含む。
【０１４９】
本発明の実施形態は、集積回路モジュールのような種々のコンポーネントにおいて具現化される。集積回路の設計は、全般的に高度に自動化されたプロセスである。論理レベルデザインを、半導体基板上にエッチングされて形成される準備のできた半導体回路デザインへ変換するための複雑且つパワフルなソフトウェアツールが利用できる。
【０１５０】
以上の説明は、非限定例により、本発明の規範的実施形態の完全且つ有益な説明を与える。しかしながら、当業者であれば、添付図面及び特許請求の範囲と共に読んだときに、前記説明の観点から、種々の変更や適応が明らかであろう。しかしながら、本発明の技術のそのような変更及び同様の変更は、全て、特許請求の範囲に依然包含される。実際に、１つ以上の実施形態と、上述した他のいずれかの実施形態との組み合せより成る更に別の実施形態も考えられる。
【符号の説明】
【０１５１】
１００：ワイヤレス通信システム
１０２、１０４、１０５：移動通信装置又はユーザ装置（ＵＥ）
１０６、１０７：マクロレベルベースステーション
１０８、１０９：コントローラ装置
１１２：ゲートウェイ
１１３：通信ネットワーク
１１６、１１８、１２０：小型ベースステーション
２００：移動装置
２０１：データ処理エンティティ
２０２：メモリ
２０３：コンポーネント
２０５：キーパッド
２０６：トランシーバ装置
２０７：エア又は無線インターフェイス
２０８：ディスプレイ
３００：制御装置
３０１：メモリ
３０２、３０３：データ処理ユニット
３０４：入力／出力インターフェイス
【図１】
2020054000.tif 000005
【図２】
2020054000.tif 000006
【図３】
2020054000.tif 000007
【図４】
2020054000.tif 000008
【図５】
2020054000.tif 000009
【図６】
2020054000.tif 000010
【図７】
2020054000.tif 000011
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信し；
前記少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し；及び
前記１つ以上の時間属性に従って前記１つ以上の第１のデータ送信を一度に１つ送信させる；
ことを含む方法。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信し；
前記少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し；及び
前記１つ以上の時間属性に従って前記１つ以上の第１のデータ送信を一度に１つ送信させる；
ことを含み、
前記少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わし、
前記第２の指定情報は、前記第２の指定情報を受信するときと、前記１つ以上の第１のデータ送信のうちの１つを送信させるときとの間の時間オフセット又は最小時間オフセットを制御するオフセット属性を表わす、方法。
【請求項２】
前記第２の指定情報の受信終了と前記１つ以上の第１のデータ送信のうちの１つのデータ送信の送信開始との間のタイムインターバルは、前記第１の指定情報に従って前記１つ以上の第１のデータ送信のうちの１つのデータ送信を処理するために通信装置に必要とされる時間より短い、請求項１に記載の方法。
【請求項３】
前記第２の指定情報は、第１の送信タイムインターバルにセルラーシステムのアクセスノードから送信され、
前記１つ以上の第１のデータ送信のうちの１つは、前記１つ以上の第１のデータ送信のうちの１つが第２の送信タイムインターバルにアクセスノードに得られるようにアクセスノードへ送信され、及び
前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い、
請求項１又は２に記載の方法。
【請求項４】
１つ以上の第２のデータ送信に関連した第２の指定情報の使用又は未使用を表わす構成情報を受信し；
前記１つ以上の第２のデータ送信に関連して、前記１つ以上の第２のデータ送信の属性を表わし且つ前記１つ以上の第２のデータ送信のうちの１つのデータ送信の少なくとも１つのコンテンツ属性を示す指定情報を含む第１の指定情報を受信し；
前記１つ以上の第２のデータ送信のうちの１つのデータ送信の少なくとも部分的処理のために少なくとも１つのコンテンツ属性を使用し；及び
前記１つ以上の第２のデータ送信に関連した第２の指定情報の未使用が構成される場合には、前記１つ以上の第２のデータ送信に関連した第１の指定情報の受信に関して所定の時間に前記１つ以上の第２のデータ送信の１つを送信させる；
ことを含む、請求項１から３のいずれか１項に記載の方法。
【請求項５】
前記１つ以上の第１のデータ送信のうちの少なくとも１つに関連した中止情報を検出し；及び
前記１つ以上の第１のデータ送信のうちの少なくとも１つを送信させるのを中止する；
ことを更に含む、請求項１から４のいずれか１項に記載の方法。
【請求項６】
前記中止情報は、第２の指定情報に与えられた情報に基づくか、又は第１の指定情報の受信以来の経過時間に基づいて検出される、請求項５に記載の方法。
【請求項７】
前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報を受信し；及び
前記少なくとも１つの新たな又は変更された属性に従って前記１つ以上の第１のデータ送信を少なくとも部分的に再処理する；
ことを含む、請求項１から６のいずれか１項に記載の方法。
【請求項８】
ダウンリンク制御チャンネル上の第２の指定情報を検出するために所定の識別子を使用することを含む、請求項１から７のいずれか１項に記載の方法。
【請求項９】
１つ以上の第１のデータ送信に関連したワイヤレス通信システム内で、１つ以上の第１のデータ送信の属性を表わし、且つ１つ以上の第１のデータ送信のうちの少なくとも１つのデータ送信の少なくとも１つのコンテンツ属性を示す指定情報を含む第１の指定情報の送信を生じさせ；
前記少なくとも１つのコンテンツ属性を含む第１の指定情報の送信に続いて、前記１つ以上の第１のデータ送信のうちの１つのデータ送信の１つ以上の時間属性を表わす指定情報を含む第２の指定情報の送信を生じさせる；及び
前記１つ以上の時間属性に従って前記１つ以上の第１のデータ送信を一度に１つ受信する；
ことを含み、
前記少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わし、
前記第２の指定情報は、前記第２の指定情報を送信させるときと、前記１つ以上の第１のデータ送信のうちの１つを受信するときとの間の時間オフセット又は最小時間オフセットを制御するオフセット属性を表わす、方法。
【請求項１０】
前記第２の指定情報は、第１の送信タイムインターバルにセルラーシステムのアクセスノードから送信され；
前記１つ以上の第１のデータ送信の１つは、第２の送信タイムインターバルにアクセスノードに得られ；及び
前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い；
請求項９に記載の方法。
【請求項１１】
前記１つ以上の第２のデータ送信に関連した第２の指定情報の使用又は未使用を表わす構成情報の送信を生じさせ；
前記１つ以上の第２のデータ送信に関連して、前記１つ以上の第２のデータ送信の属性を表わし且つ前記１つ以上の第２のデータ送信のうちの１つのデータ送信の少なくとも１つのコンテンツ属性を示す指定情報を含む第１の指定情報の送信を生じさせ；
前記１つ以上の第２のデータ送信のうちの１つのデータ送信の少なくとも部分的処理のために少なくとも１つのコンテンツ属性を使用し；及び
前記１つ以上の第２のデータ送信に関連した第２の指定情報の未使用が構成される場合には、前記１つ以上の第２のデータ送信に関連した第１の指定情報の送信に関して所定の時間に前記１つ以上の第２のデータ送信の１つを受信する；
ことを含む、請求項９又は１０に記載の方法。
【請求項１２】
前記１つ以上の第１のデータ送信のうちの少なくとも１つに関連した中止情報の送信を生じさせることを含む、請求項９から１１のいずれか１つに記載の方法。
【請求項１３】
前記第２の指定情報は、前記中止情報を含む、請求項１２に記載の方法。
【請求項１４】
前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報の送信を生じさせることを含む、請求項９から１３のいずれか１項に記載の方法。
【請求項１５】
ダウンリンク制御チャンネル上の第２の指定情報を指示するために所定の識別子を使用することを含む、請求項９から１４のいずれか１項に記載の方法。
【請求項１６】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
１つ以上の第１のデータ送信の属性を表わし且つ１つ以上の第１のデータ送信のうちの少なくとも１つのデータ送信の少なくとも１つのコンテンツ属性を示す指定情報を含む第１の指定情報を、１つ以上の第１のデータ送信に関連したワイヤレス通信システムの通信装置で受信し；
前記少なくとも１つのコンテンツ属性を含む第１の指定情報の前記受信に続いて、１つ以上の第１のデータ送信のうちの１つのデータ送信の１つ以上の時間属性を表わす指定情報を含む第２の指定情報を受信し；及び
前記１つ以上の時間属性に従って前記１つ以上の第１のデータ送信を一度に１つ送信させる；
ように構成され、
前記少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わし、
前記第２の指定情報は、前記第２の指定情報を送信させるときと、前記１つ以上の第１のデータ送信のうちの１つを受信するときとの間の時間オフセット又は最小時間オフセットを制御するオフセット属性を表わす、装置。
【請求項１７】
前記第２の指定情報の受信終了と前記１つ以上の第１のデータ送信のうちの１つのデータ送信の送信開始との間のタイムインターバルは、前記第１の指定情報に従って前記１つ以上の第１のデータ送信のうちの１つのデータ送信を処理するために通信装置に必要とされる時間より短い、請求項１６に記載の装置。
【請求項１８】
前記第２の指定情報は、第１の送信タイムインターバルにセルラーシステムのアクセスノードから送信され、
前記１つ以上の第１のデータ送信のうちの１つは、前記１つ以上の第１のデータ送信のうちの１つが第２の送信タイムインターバルにアクセスノードに得られるようにアクセスノードへ送信され、及び
前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い、
請求項１６又は１７に記載の装置。
【請求項１９】
請求項１６から１８のいずれか１項に記載の装置と、前記少なくとも１つのメモリと、前記コンピュータプログラムコードは、前記少なくとも１つのプロセッサとで、前記装置が、
１つ以上の第２のデータ送信に関連した第２の指定情報の使用又は未使用を表わす構成情報を受信し；
前記１つ以上の第２のデータ送信に関連して、前記１つ以上の第２のデータ送信の属性を表わし且つ前記１つ以上の第２のデータ送信のうちの１つのデータ送信の少なくとも１つのコンテンツ属性を示す指定情報を含む第１の指定情報を受信し；
前記１つ以上の第２のデータ送信のうちの１つのデータ送信の少なくとも部分的処理のために少なくとも１つのコンテンツ属性を使用し；及び
前記１つ以上の第２のデータ送信に関連した第２の指定情報の未使用が構成される場合には、前記１つ以上の第２のデータ送信に関連した第１の指定情報の受信に関して所定の時間に前記１つ以上の第２のデータ送信の１つを送信させる；
ように更に構成されている装置。
【請求項２０】
請求項１６から１９のいずれか１項に記載の装置と、前記少なくとも１つのメモリと、前記コンピュータプログラムコードは、前記少なくとも１つのプロセッサとで、前記装置が、
前記１つ以上の第１のデータ送信のうちの少なくとも１つに関連した中止情報を検出し；及び
前記１つ以上の第１のデータ送信のうちの少なくとも１つを送信させるのを中止する；
ように更に構成されている装置。
【請求項２１】
前記中止情報は、第２の指定情報に与えられた情報に基づくか、又は第１の指定情報の受信以来の経過時間に基づいて検出される、請求項２０に記載の装置。
【請求項２２】
請求項１６から２１のいずれか１項に記載の装置と、前記少なくとも１つのメモリと、前記コンピュータプログラムコードは、前記少なくとも１つのプロセッサとで、前記装置が、
前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報を受信し；及び
前記少なくとも１つの新たな又は変更された属性に従って前記１つ以上の第１のデータ送信を少なくとも部分的に再処理する；
ように更に構成されている装置。
【請求項２３】
請求項１６から２２のいずれか１項に記載の装置と、前記少なくとも１つのメモリと、前記コンピュータプログラムコードは、前記少なくとも１つのプロセッサとで、前記装置が、ダウンリンク制御チャンネル上の第２の指定情報を検出するために所定の識別子を使用するように更に構成されている装置。
【請求項２４】
少なくとも１つのプロセッサ；及び
コンピュータプログラムコードを含む少なくとも１つのメモリ；
を備えた装置において、少なくとも１つのメモリ及びコンピュータプログラムコードは、少なくとも１つのプロセッサとで、装置が、少なくとも、
１つ以上の第１のデータ送信に関連したワイヤレス通信システム内で、１つ以上の第１のデータ送信の属性を表わし且つ１つ以上の第１のデータ送信のうちの少なくとも１つのデータ送信の少なくとも１つのコンテンツ属性を示す指定情報を含んでいる第１の指定情報の送信を生じさせ；
前記少なくとも１つのコンテンツ属性を含む第１の指定情報の送信に続いて、前記１つ以上の第１のデータ送信のうちの１つのデータ送信の１つ以上の時間属性を表わす指定情報を含んでいる第２の指定情報の送信を生じさせる；及び
前記１つ以上の時間属性に従って前記１つ以上の第１のデータ送信を一度に１つ受信する；
ように構成され、
前記少なくとも１つのコンテンツ属性は、
−ペイロード選択のための選択情報、
−ハイブリッド自動リピート要求スキームにおけるプロセスを識別する識別子、
−ハイブリッド自動リピート要求スキームにおけるプロセスの新規データ指示子、
−ハイブリッド自動リピート要求スキームにおける冗長性バージョンの指示、
のうちの少なくとも１つを表わし、
前記第２の指定情報は、前記第２の指定情報を送信させるときと、前記１つ以上の第１のデータ送信のうちの１つを受信するときとの間の時間オフセット又は最小時間オフセットを制御するオフセット属性を表わす、装置。
【請求項２５】
前記第２の指定情報は、第１の送信タイムインターバルにセルラーシステムのアクセスノードから送信され、
前記１つ以上の第１のデータ送信のうちの１つは第２の送信タイムインターバルにアクセスノードで得られ、及び
前記第２の送信タイムインターバルと前記第１の送信タイムインターバルとの間の時間差は、アクセスノードからの少なくとも１つのコンテンツ属性を含む第１の指定情報を送信するときと、そのような第１の指定情報に従って処理されたデータ送信がアクセスノードに得られるときとの間の時間差に対して少なくともアクセスノードと通信装置との間の通信のために事前に決定又は事前に構成された最小スケジューリングより短い、
請求項２４に記載の装置。
【請求項２６】
請求項２４又は２５に記載の装置と、前記少なくとも１つのメモリと、前記コンピュータプログラムコードは、前記少なくとも１つのプロセッサとで、前記装置が、
１つ以上の第２のデータ送信に関連した第２の指定情報の使用又は未使用を表わす構成情報を送信させ；
前記１つ以上の第２のデータ送信に関連して、前記１つ以上の第２のデータ送信の属性を表わし且つ前記１つ以上の第２のデータ送信のうちの１つのデータ送信の少なくとも１つのコンテンツ属性を示す指定情報を含む第１の指定情報を送信させ；
前記１つ以上の第２のデータ送信のうちの１つのデータ送信の少なくとも部分的処理のために少なくとも１つのコンテンツ属性を使用し；及び
前記１つ以上の第２のデータ送信に関連した第２の指定情報の未使用が構成される場合には、前記１つ以上の第２のデータ送信に関連した第１の指定情報の送信に関して所定の時間に前記１つ以上の第２のデータ送信の１つを受信する；
ように更に構成されている装置。
【請求項２７】
請求項２４から２６のいずれか１項に記載の装置と、前記少なくとも１つのメモリと、前記コンピュータプログラムコードは、前記少なくとも１つのプロセッサとで、前記装置が、
前記１つ以上の第１のデータ送信のうちの少なくとも１つに関連した中止情報を送信させる；
ように更に構成されている装置。
【請求項２８】
前記第２の指定情報は、前記中止情報を含む、請求項２４から２７のいずれか１項に記載の方法。
【請求項２９】
請求項２４から２８のいずれか１項に記載の装置と、前記少なくとも１つのメモリと、前記コンピュータプログラムコードは、前記少なくとも１つのプロセッサとで、前記装置が、
前記１つ以上の第１のデータ送信のうちの少なくとも１つのデータ送信に関連した更に別の指定情報であって、前記１つ以上の第１のデータ送信のうちの１つのデータ送信の少なくとも１つの新たな又は変更された属性を表わす指定情報を含む更に別の指定情報を送信させる；
ように更に構成されている装置。
【請求項３０】
請求項２４から２９のいずれか１項に記載の装置と、前記少なくとも１つのメモリと、前記コンピュータプログラムコードは、前記少なくとも１つのプロセッサとで、前記装置が、ダウンリンク制御チャンネル上の第２の指定情報を表すために所定の識別子を使用するように更に構成されている装置。
【請求項３１】
コンピュータにおいて実行されるとき請求項１から１５のいずれか１項に記載のステップを遂行するためのソフトウェアコード部分を備えた、ストレージ媒体に記憶されたコンピュータ用のコンピュータプログラム製品。
【外国語明細書】
2020054000000001.pdf